(57)【特許請求の範囲】
【請求項１】
少なくとも、画像データを取得するための撮影モードを有する画像処理装置であって、
前記撮影モードでの動作中にシャッターボタンが押されたことに応じて、画像を撮影する撮影手段と、
撮影した画像に対するプリント部数を指定する指定手段と、を有し、
前記撮影モードにおいて、前記撮影手段による画像撮影後に自動的に、前記指定手段によりプリント部数を指定するプリント部数指定モードに移行し、さらに
前記プリント部数指定モード中に、前記シャッターボタンが押されたことに応じて、前記プリント部数指定モードを解除する制御手段を有することを特徴とする画像処理装置。
【請求項２】
前記シャッターボタンの全押しと半押しを検知する検知手段をさらに有し、
前記検知手段が前記シャッターボタンの半押しを検知したことに応じて、前記プリント部数指定モードを解除し、
前記検知手段が前記シャッターボタンの全押しを検知したことに応じて、前記撮影手段による撮影処理を行うことを特徴とする請求項１に記載の画像処理装置。
【請求項３】
少なくとも、画像データを取得するための撮影モードを有する画像処理装置の制御方法であって、
前記撮影モードでの動作中にシャッターボタンが押されたことに応じて画像を撮影し、その画像の撮影後に自動的に、プリント部数を指定するプリント部数指定モードに移行し、さらに
前記プリント部数指定モード中に、前記シャッターボタンが押されたことに応じて、前記プリント部数指定モードを解除することを特徴とする画像処理装置の制御方法。
【請求項４】
前記シャッターボタンの全押しと半押しを検知し、
前記シャッターボタンの半押しを検知したことに応じて、前記プリント部数指定モードを解除し、
前記シャッターボタンの全押しを検知したことに応じて、画像を撮影することを特徴とする請求項３に記載の画像処理装置の制御方法。
【発明の詳細な説明】
【０００１】
【発明の属する技術分野】
本発明は、画像情報をプリントさせるためのプリントモードを含む複数の動作モードを有する画像処理装置、およびその制御方法に関するものである。
【０００２】
本発明は、動作モードとして、プリントモードの他、画像を撮影する撮影モード、画像情報を加工処理する加工モード、および画像情報を表示画面上に再生する再生モードの内の少なくとも１つを含む画像処理装置、およびその制御方法として広く適用できるものである。このような種々の動作モードを有する画像処理装置の具体例としては、カメラを用いた撮影モードにおいてデジタル画像を取得し、そのデジタル画像をプリントモードにおいてプリントする情報機器を挙げることができる。より具体的には、プリンタ一体型カメラ、プリンタに接続可能なカメラ、プリンタに接続可能なカメラ内蔵の情報機器、プリンタに接続可能なカメラ内蔵の通信機器、プリンタに接続されたカメラ内蔵のＰＣ（パーソナルコンピュータ）、カード型のカメラをコントロールするプリンタに接続可能なＰＣ、および遠隔操作可能なカメラをコントロールするプリンタに接続可能な情報機器を挙げることができる。
【０００３】
【従来の技術】
従来、カメラの撮像機能を利用して取得したデジタル画像の記録方法としては、以下のような方法があった。
【０００４】
（１）カメラの撮影機能を用いて取得したデジタル画像を格納メディアに格納し、この格納メディアを介して、ＰＣ（パーソナルコンピュータ）へデジタル画像をダウンロードし、そのＰＣ上にて、そのデジタル画像を管理および加工してから、プリンタへ出力して記録する。
【０００５】
（２）カメラの撮影機能を用いて取得したデジタル画像を格納メディアに格納し、ＰＣに接続したケーブルを介して、ＰＣへデジタル画像をダウンロードし、そのＰＣ上にて、そのデジタル画像を管理および加工してから、プリンタへ出力して記録する。
【０００６】
（３）カメラの撮影機能を用いて取得したデジタル画像を格納メディアに格納し、赤外線通信を介して、ＰＣへデジタル画像をダウンロードし、そのＰＣ上にて、そのデジタル画像を管理および加工してから、プリンタへ出力して記録する。
【０００７】
（４）カメラの撮影機能を用いて取得したデジタル画像を格納メディアに格納し、ネットワークを介して、ＰＣへデジタル画像をダウンロードし、そのＰＣ上にて、そのデジタル画像を管理および加工してから、プリンタへ出力して記録する。
【０００８】
（５）カメラの撮影機能を用いて取得したデジタル画像を格納メディアに格納し、この格納メディアを直接プリンタにセットし、そのプリンタ上にて、そのデジタル画像を管理および加工してから、そのプリンタにおいて記録する。
【０００９】
（６）カメラの撮影機能を用いて取得したデジタル画像を格納メディアに格納し、この格納メディアをプリンタに接続されたアダプタにセットし、そのアダプタ上にて、そのデジタル画像を管理および加工してから、プリンタへ出力して記録する。
【００１０】
（７）カメラの撮影機能を用いて取得したデジタル画像を格納メディアに格納し、この格納メディアをプリントショップへ持って行き、そのプリントショップにて、そのデジタル画像を管理および加工して記録する。
【００１１】
（８）カメラの撮影機能を用いて取得したデジタル画像を、カメラに内蔵されたプリンタ、もしくはカメラに接続されたプリンタによって、直接的に記録する。その場合、プリンタは、指定された特定の同一画像を指示された枚数分だけ記録する。
【００１２】
また、以下の公報には、このような記録方法に関連する先行技術が記載されている。
【００１３】
（１）特開平０９−０２６５６１号公報には、カメラによる撮影毎に、その撮影した画像をプリントするプリンタ付き電子カメラが示されている。
【００１４】
（２）特開平１０−０６６０１５号公報には、画像データとその画像データに関連する関連情報とを関連付けて１つのデータにまとめて、それらの記録を行うプリントシステムが示されている。
【００１５】
（３）特開平１１−１９６３５８号公報には、デジタル画像データのプリント時におけるプリント指定情報を設定可能なデジタルカメラが示されている。
【００１６】
（４）特開平１１−２９８８３３号公報には、プリント枚数が複数枚の場合に、１枚目のプリント出力が終了したときにプリント出力を中断状態とし、その中断状態を解除してから残り枚数のプリント出力を行うためのデジタルカメラ・プリンタシステム、プリント出力制御方法、および記憶媒体が示されている。
【００１７】
（５）特開２０００−０８３２０７号公報には、デジタルカメラにより撮影が行われた後、撮影が行われていない状態が検知された時点において、その撮影された画像の記録を自動的に開始するプリントシステムが示されている。
【００１８】
【発明が解決しようとする課題】
しかしながら、従来技術においては、カメラによって撮影したデジタル画像を格納メディアに格納した場合、この格納メディア上の画像データを記録するためには、カメラとは別のＰＣなどの機器、もしくはプリントショップを利用する必要があった。
【００１９】
また、カメラに内蔵されたプリンタ、もしくはカメラに接続されたプリンタによって直接記録する構成では、指定した特定の同一画像を指示した枚数分しか記録できなかった。例えば、先行技術の特開平０９−０２６５６１号公報、特開平１１−２９８８３３号公報、特開２０００−０８３２０７号公報においては、記録手段についての各種の工夫はなされているものの、やはり撮影もしくは指定した特定の同一画像を指示した枚数分しか記録できない。また、先行技術の特開平１１−１９６３５８号公報においては、複数コマ分の画像のプリント指示が行えるようにはなっているものの、あくまでもプリント時におけるプリント指定情報を設定することしかできない。また、先行技術の特開平１０−０６６０１５号公報においては、撮影画像とその撮影画像に関連した関連情報を関連付けて記録できるようになっているだけであり、その関連情報に関する画像しか記録できない。
【００２０】
本発明は、このような事情に鑑みなされたものであり、その目的は、画像情報をプリントさせるためのプリントモードを含む複数の動作モードを有する画像処理装置において、その操作性を向上させることができる画像処理装置、およびその制御方法を提供することにある。
【００２１】
本発明の具体的な目的としては、下記の事項を挙げることができる。
【００２２】
（１）本発明の目的の１つは、カメラもしくはカメラをコントロールする機器の種々の動作モードにおいても、プリント対象となる画像の指定と、そのプリント部数の指定を可能とし、そしてプリント指示がなされた時点において、それらの指定内容に基づくプリント処理を実行すると同時に、指定された画像をプリント指定ファイルに書込む処理も実行する。これにより、従来技術にはなかった操作性の向上を実現する。カメラもしくはカメラをコントロールする機器の種々の動作モードとしては、例えば、画像を撮影する撮影モード、撮影した画像を再生する再生モード、カメラ外部の機器を用いてプリントさせるためのプリント指定情報を設定するプリント指定モード、撮影した画像に対して加工編集処理を施す画像加工モードなどがある。
【００３３】
【課題を解決するための手段】
本発明の画像処理装置は、少なくとも、画像データを取得するための撮影モードを有する画像処理装置であって、前記撮影モードでの動作中にシャッターボタンが押されたことに応じて、画像を撮影する撮影手段と、撮影した画像に対するプリント部数を指定する指定手段と、を有し、前記撮影モードにおいて、前記撮影手段による画像撮影後に自動的に、前記指定手段によりプリント部数を指定するプリント部数指定モードに移行し、さらに前記プリント部数指定モード中に、前記シャッターボタンが押されたことに応じて、前記プリント部数指定モードを解除する制御手段を有することを特徴とする。
【００３４】
本発明の画像処理装置の制御方法は、少なくとも、画像データを取得するための撮影モードを有する画像処理装置の制御方法であって、前記撮影モードでの動作中にシャッターボタンが押されたことに応じて画像を撮影し、その画像の撮影後に自動的に、プリント部数を指定するプリント部数指定モードに移行し、さらに前記プリント部数指定モード中に、前記シャッターボタンが押されたことに応じて、前記プリント部数指定モードを解除することを特徴とする。
【００５３】
【発明の実施の形態】
以下、本発明の実施形態を図面に基づいて説明する。
【００５４】
本明細書において、「プリント」（「記録」という場合もある）とは、文字、図形等有意の情報を形成する場合のみならず、有意無意を問わず、また人間が視覚で知覚し得るように顕在化したものであるか否かを問わず、広くプリント媒体上に画像、模様、パターン等を形成する場合、またはプリント媒体の加工を行う場合を言うものとする。
【００５５】
また、「プリント媒体」とは、一般的なプリント装置で用いられる紙のみならず、広く、布、プラスチック・フィルム、金属板等、ガラス、セラミックス、木材、皮革等、インクを受容可能な物も言うものとするが、以下では「用紙」または単に「紙」ともいうものとする。
【００５６】
また、本明細書において、「カメラ」とは光学的に撮像し、光学像を電気信号に変換する機器やデバイスを示すものであり、以下の説明において「撮像部」とも称する。
【００５７】
さらに、「インク」（「液体」という場合もある）とは、上記「プリント」の定義と同様広く解釈されるべきものであり、プリント媒体上に付与されることによって、画像、模様、パターン等の形成、プリント媒体の加工、或いはインクの処理（例えば、プリント媒体に付与されるインク中の色材の凝固または不溶化）に供される液体を言うものとする。
【００５８】
なお、本発明が有効に用いられるヘッドの一形態は、電気熱変換体が発生する熱エネルギーを利用して液体に膜沸騰を生じさせ気泡を形成する形態である。
【００５９】
「基本構成」
まず、図１から図１４に基づいて、本発明に係る装置の基本構成について説明する。本例において説明する装置は、光学的に撮像して電気信号に変換する撮像部（以下、「カメラ部」とも称する）と、撮像して得られた電気信号に基づいて画像の記録を行う画像記録部（以下、「プリンタ部」とも称する）とを備えた情報処理装置として構成されている。以下、本例で説明する情報処理機器を「プリンタ内蔵カメラ」と称して説明する。
【００６０】
装置本体Ａ００１においては、カメラ部Ａ１００の背面側にプリンタ部（記録装置部）Ｂ１００が一体的に組み込まれている。プリンタ部Ｂ１００は、メディアパックＣ１００から供給されるインクとプリント媒体を用いて画像を記録する。本構成では、装置本体Ａ００１から外装を外して背面側から見た図５から明らかなように、装置本体Ａ００１の同図中の右手側にメディアパックＣ１００が挿入され、装置本体Ａ００１の同図中左手側にプリンタ部Ｂ１００が配置される。プリンタ部Ｂ１００によって記録を行う場合には、カメラ部Ａ１００における後述の液晶表示部Ａ１０５を上側、レンズＡ１０１を下側にするように、装置本体Ａ００１を置いた姿勢とすることができる。この記録姿勢において、プリンタ部Ｂ１００における後述の記録ヘッドＢ１２０は、インクを下向きに吐出する姿勢となる。記録姿勢は、カメラ部Ａ１００による撮影状態の姿勢と同様の姿勢とすることも可能であり、上記の記録姿勢に限られることはない。記録動作の安定性の面からは、上記のインクを下向きに吐出する記録姿勢が好ましい。
【００６１】
以下においては、本例の装置の機械的な基本構成をＡ「カメラ部」、Ｂ「メディアパック」、Ｃ「プリンタ部」とに分けて説明し、また、信号処理系の基本構成はＤ「信号処理系」として説明する。
【００６２】
Ａ「カメラ部」
カメラ部Ａ１００は、基本的には、一般的なデジタルカメラを構成するものであり、後述するプリンタ部Ｂ１００と共に装置本体Ａ００１に一体的に組み合わせられることによって、図１から図３のような外観のプリンタ内蔵のデジタルカメラを構成する。図１から図３において、Ａ１０１はレンズ、Ａ１０２はファインダー、Ａ１０２ａはファインダー窓、Ａ１０３はストロボ、Ａ１０４はレリーズボタン、Ａ１０５は液晶表示部（外部表示部）である。カメラ部Ａ１００は、後述するように、ＣＣＤを用いて撮像したデータの処理、コンパクトフラッシュメモリカード（ＣＦカード）Ａ１０７への画像の記憶、画像の表示、プリンタ部Ｂ１００との間の各種データの授受等をする。Ａ１０９は、撮影された画像を後述のプリント媒体Ｃ１０４に記録した場合に、画像が記録されたプリント媒体Ｃ１０４が排出される排出部である。図５に示されるＡ１０８は、カメラ部Ａ１００およびプリンタ部Ｂ１００の電源としての電池である。
【００６３】
Ｂ「メディアパック」
メディアパックＣ１００は、装置本体Ａ００１に対して着脱可能であり、本例の場合は、装置本体Ａ００１の挿入部Ａ００２（図３参照）から差し込まれることによって、図１のように装置本体Ａ００１に装着される。挿入部Ａ００２は、メディアパックＣ１００が装着されていないときは図３のように閉じられており、それが装着されるときに開かれる。図５は、メディアパックＣ１００が装着された装置本体Ａ００１から、外装を外した状態を示す。メディアパックＣ１００のパック本体Ｃ１０１には、図４のように、シャッターＣ１０２が矢印Ｄ方向にスライド可能に備えられている。シャッターＣ１０２は、メディアパックＣ１００が装置本体Ａ００１に装着されていないときには図４中の２点鎖線の位置にスライドしており、メディアパックＣ１００が装置本体Ａ００１に装着されたときには、図４中の実線の位置にスライドする。
【００６４】
パック本体Ｃ１０１には、インクパックＣ１０３とプリント媒体Ｃ１０４が収容されている。図４において、インクパックＣ１０３は、プリント媒体Ｃ１０４の下方に収容される。本例の場合、インクパックＣ１０３は、Ｙ（イエロー），Ｍ（マゼンタ），Ｃ（シアン）のインクを個別に収容するように３つ備えられており、またプリント媒体Ｃ１０４は２０枚程度重ねて収容されている。それらのインクとプリント媒体Ｃ１０４は、画像の記録に最適な組合せのものが選択された上、同じメディアパックＣ１００内に収容されている。したがって、インクとプリント媒体の組合せが異なる種々のメディアパックＣ１００（例えば、超高画質用、ノーマル画質用、シール（分割シール）用等のメディアパック）を用意しておいて、記録すべき画像の種類、および画像が形成されたプリント媒体の用途などに応じて、それらのメディアパックＣ１００を選択的に装置本体Ａ００１に装着することにより、最適な組合せのインクとプリント媒体を用いて、目的に応じた画像を確実に記録することができる。また、メディアパックＣ１００には後述するＥＥＰＲＯＭ（識別ＩＣ）が備えられており、そのＥＥＰＲＯＭには、メディアパックが収容しているインクとプリント媒体の種類や残量などの識別データが記憶される。
【００６５】
インクパックＣ１０３は、メディアパックＣ１００が装置本体Ａ００１に装着されたときに、Ｙ，Ｍ，Ｃのインクのそれぞれに対応する３つのジョイントＣ１０５を通して、後述する装置本体Ａ００１側のインク供給系に接続される。一方、プリント媒体Ｃ１０４は、図示しない分離機構によって一枚ずつ分離されてから、後述する給紙ローラＣ１１０（図９参照）によって矢印Ｃ方向に送り出される。その給紙ローラＣ１１０の駆動力は、装置本体Ａ００１側に備わる後述の搬送モータＭ００２（図９参照）から、連結部Ｃ１１０ａを介して供給される。
【００６６】
また、パック本体Ｃ１０１には、後述するプリンタ部の記録ヘッドをワイピングするためのワイパーＣ１０６と、そのプリンタ部から排出された廃インクを吸収するためのインク吸収体Ｃ１０７と、が備えられている。プリンタ部における記録ヘッドは、後述するように矢印Ａの主走査方向に往復移動する。メディアパックＣ１００が装置本体Ａ００１から外されているときは、シャッターＣ１０２が図４中の２点鎖線の位置にスライドして、ジョイントＣ１０５、ワイパーＣ１０６、およびインク吸収体Ｃ１０７などを保護する。
【００６７】
Ｃ「プリンタ部」
本例のプリンタ部Ｂ１００は、インクジェット記録ヘッドを用いるシリアルタイプである。このプリンタ部Ｂ１００については、Ｃ−１「プリント動作部」、Ｃ−２「プリント媒体搬送系」、およびＣ−３「インク供給系」に分けて説明する。
【００６８】
Ｃ−１「プリント動作部」
図６は、プリンタ部Ｂ１００全体の斜視図、図７は、プリンタ部Ｂ１００の一部を取り外した斜視図である。
【００６９】
プリンタ部Ｂ１００の本体内部の定位置には、図５のように、装置本体Ａ００１に装着されたメディアパックＣ１００の先端部分が位置する。メディアパックＣ１００から矢印Ｃ方向に送り出されたプリント媒体Ｃ１０４は、後述するプリント媒体搬送系におけるＬＦローラＢ１０１とＬＦピンチローラＢ１０２との間に挟まれつつ、プラテンＢ１０３上にて矢印Ｂの副走査方向に搬送される。Ｂ１０４は、ガイド軸Ｂ１０５とリードスクリューＢ１０６に沿って矢印Ａの主走査方向に往復移動されるキャリッジである。
【００７０】
キャリッジＢ１０４には、図８のように、ガイド軸Ｂ１０５用の軸受けＢ１０７と、リードスクリューＢ１０６用の軸受けＢ１０８が設けられている。キャリッジＢ１０４の定位置には、図７のように、軸受けＢ１０８の内側に突出するスクリューピンＢ１０９がばねＢ１１０によって取り付けられている。そして、リードスクリューＢ１０６の外周部に形成された螺旋溝に対して、スクリューピンＢ１０９の先端がはまり合うことによって、リードスクリューＢ１０６の回転がキャリッジＢ１０４の往復移動に変換される。
【００７１】
また、キャリッジＢ１０４には、Ｙ，Ｍ，Ｃのインクを吐出可能なインクジェット記録ヘッドＢ１２０と、その記録ヘッドＢ１２０に供給されるインクを収容するサブタンク（図示せず）が搭載されている。記録ヘッドＢ１２０には、矢印Ａの主走査方向と交差する方向（本例の場合は、直交する方向）に沿って並ぶ複数のインク吐出口Ｂ１２１（図８参照）が形成されている。インク吐出口Ｂ１２１は、サブタンクから供給されたインクを吐出可能なノズルを構成する。インクを吐出させるためのエネルギーの発生手段としては、ノズル毎に備えた電気熱変換体を用いることができる。その電気熱変換体は、発熱駆動されることによってノズル内のインク中に気泡を発生させ、その発泡エネルギーによってインク吐出口Ｂ１２１からインク滴を吐出させる。
【００７２】
サブタンクは、メディアパックＣ１００に収容されているインクパックＣ１０３よりも小容量であり、少なくともプリント媒体Ｃ１０４の１枚分の画像記録に必要な量のインクを収容する大きさとなっている。サブタンクにおいて、Ｙ，Ｍ，Ｃのインク毎のインク収容部分には、それぞれインク供給部と負圧導入部が形成されており、それらのインク供給部は対応する３つの中空のニードルＢ１２２に個別に接続され、また、それらの負圧導入部は共通の供給エアー口Ｂ１２３に接続されている。このようなサブタンクには、後述するように、キャリッジＢ１０４が図６のようなホームポジションに移動したときに、メディアパックＣ１００のインクパックＣ１０３からインクが補給される。
【００７３】
図８のキャリッジＢ１０４において、Ｂ１２４はニードルカバーであり、ニードルＢ１２２とジョイントＣ１０５とが連結していないときは、スプリングの力によって同図のように、ニードルＢ１２２を保護する位置に移動しており、ニードルＢ１２２とジョイントＣ１０５とが連結するときは、スプリングの力に抗して同図中の上方に押されてニードルＢ１２２の保護を解く。キャリッジＢ１０４の移動位置は、キャリッジＢ１０４側のエンコーダセンサＢ１３１と、プリンタ部Ｂ１００の本体側のリニアスケールＢ１３２（図６参照）と、によって検出される。また、キャリッジＢ１０４がホームポジションに移動したことは、キャリッジＢ１０４側のＨＰ（ホームポジション）フラグＢ１３３と、プリンタ部Ｂ１００の本体側のＨＰセンサＢ１３４（図７参照）と、によって検出される。
【００７４】
図７において、ガイド軸Ｂ１０５の両端には、その中心軸から偏心した位置に支軸（図示せず）が設けられている。ガイド軸Ｂ１０５は、その支軸を中心として回動調整されることにより、キャリッジ１０４の位置が調整されて、記録ヘッドＢ１２０と、プラテンＢ１０３上のプリント媒体Ｃ１０４と、の間の距離（「紙間距離」ともいう）が調整される。また、リードスクリューＢ１０６は、スクリューギアＢ１４１、アイドラギアＢ１４２、およびモータギアＢ１４３を介して、キャリッジモータＭ００１によって回転駆動される。また、Ｂ１５０は、後述する制御系と記録ヘッドＢ１２０とを電気的に接続するためのフレキシブルケーブルである。
【００７５】
記録ヘッドＢ１２０は、キャリッジＢ１０４と共に矢印Ａの主走査方向に移動しつつ、画像信号に応じてインク吐出口Ｂ１２１からインクを吐出することによって、プラテンＢ１０３上のプリント媒体に１行分の画像を記録する。このような記録ヘッドＢ１２０による１行分の記録動作と、後述するプリント媒体搬送系による矢印Ｂの副走査方向におけるプリント媒体の所定量の搬送動作と、を繰り返すことによって、プリント媒体上に順次画像を記録する。
【００７６】
Ｃ−２「プリント媒体搬送系」
図９は、プリンタ部Ｂ１００におけるプリント媒体搬送系の構成部分の斜視図である。図９において、Ｂ２０１は対の排紙ローラであり、同図中上側の一方の排紙ローラＢ２０１は、排紙ローラギアＢ２０２と中継ギアＢ２０３を介して、搬送モータＭ００２により駆動される。同様に、前述したＬＦローラＢ１０１は、ＬＦローラギアＢ２０４と中継ギアＢ２０３を介して、搬送モータＭ００２により駆動される。排紙ローラＢ２０１とＬＦローラＢ１０１は、搬送モータＭ００２の正転時の駆動力によって、プリント媒体Ｃ１０４を矢印Ｂの副走査方向に搬送する。
【００７７】
一方、搬送モータＭ００２が逆転したときは、切り替えスライダＢ２１１および切り替えカムＢ２１２を介して、圧板ヘッドＢ２１３と図示しないロック機構が駆動されると共に、メディアパックＣ１００側の給紙ローラＣ１１０に駆動力が伝達される。すなわち、圧板ヘッドＢ２１３は、搬送モータＭ００２の逆転時の駆動力によって、メディアパックＣ１００のシャッターＣ１０２の窓部Ｃ１０２Ａ（図４参照）を通って、メディアパックＣ１００内に集積されているプリント媒体Ｃ１０４を図４中の下方に押圧する。これにより、図４中の最下位置のプリント媒体Ｃ１０４がメディアパックＣ１００内の給紙ローラＣ１１０上に押し付けられる。また、図示しないロック機構は、搬送モータＭ００２の逆転時の駆動力によって、装置本体Ａ００１に対してメディアパックＣ１００をロックしてメディアパックＣ１００の取り外しを禁止する。また、メディアパックＣ１００側の給紙ローラＣ１１０は、搬送モータＭ００２の逆転時の駆動力が伝達されることによって、図４中最下位置の１枚のプリント媒体Ｃ１０４を矢印Ｃ方向に搬出する。
【００７８】
このように、搬送モータＭ００２が逆転することによって、メディアパックＣ１００からプリント媒体Ｃ１０４が１枚だけ矢印Ｃ方向に取り出され、その後、搬送モータＭ００２が正転することによって、そのプリント媒体Ｃ１０４が矢印Ｂ方向に搬送される。
【００７９】
Ｃ−３「インク供給系」
図１０は、プリンタ部Ｂ１００におけるインク供給系の構成部分の斜視図、図１１は、そのインク供給系の構成部分にメディアパックＣ１００が装着されたときの平面図である。
【００８０】
プリンタ部Ｂ１００に装着されたメディアパックＣ１００のジョイントＣ１０５は、ホームポジションに移動したキャリッジＢ１０４側のニードルＢ１２２（図８参照）の下に位置する。プリンタ部Ｂ１００の本体には、ジョイントＣ１０５の下方に位置するジョイントフォークＢ３０１（図１０参照）が備えられており、そのジョイントフォークＢ３０１がジョイントＣ１０５を上動させることにより、ジョイントＣ１０５がニードルＢ１２２に接続される。これにより、メディアパックＣ１００側のインクパックＣ１０３と、キャリッジＢ１０４側のサブタンクのインク供給部と、の間のインク供給路が形成される。また、プリンタ部Ｂ１００の本体には、ホームポジションに移動したキャリッジＢ１０４の供給エアー口Ｂ１２３（図８参照）の下に位置する供給ジョイントＢ３０２が備えられている。この供給ジョイントＢ３０２は、供給チューブＢ３０３を介して、負圧発生源としてのポンプのポンプシリンダＢ３０４に接続されている。供給ジョイントＢ３０２は、ジョイントリフタＢ３０５によって上動されることにより、キャリッジＢ１０４側の供給エアー口Ｂ１２３に接続される。これにより、キャリッジＢ１０４側のサブタンクの負圧導入部と、ポンプシリンダＢ３０４と、の間の負圧導入路が形成される。ジョイントリフタＢ３０５は、ジョイントモータＭ００３の駆動力によって、供給ジョイントＢ３０２と共にジョイントフォークＢ３０１を上下動させる。
【００８１】
サブタンクの負圧導入部には、空気の通過を許容し、かつインクの通過を阻止する気液分離部材（図示せず）が備えられている。気液分離部材は、負圧導入路を通して吸引されるサブタンク内の空気の通過を許容し、これによりメディアパックＣ１００からサブタンクにインクが補給される。そして、サブタンク内のインクが気液分離部材に達するまで、インクが充分に補給されたときに、その気液分離部材がインクの通過を阻止することにより、インクの補給が自動的に停止する。気液分離部材は、サブタンクのインク毎のインク収容部分におけるインク供給部に備えられており、それらのインク収容部分毎に、インクの補給を自動的に停止させる。
【００８２】
また、プリンタ部Ｂ１００の本体には、ホームポジションに移動したキャリッジＢ１０４側の記録ヘッドＢ１２０（図８参照）に対して、キャッピングが可能な吸引キャップＢ３１０が備えられている。吸引キャップＢ３１０は、その内部に、吸引チューブＢ３１１を通してポンプシリンダＢ３０４から負圧が導入されることによって、記録ヘッドＢ１２０のインク吐出口Ｂ１２１からインクを吸引排出（吸引回復処理）させることができる。また、記録ヘッドＢ１２０は、必要に応じて、画像の記録に寄与しないインクを吸引キャップＢ３１０内に吐出させる（予備吐出処理）。吸引キャップＢ３１０内のインクは、ポンプシリンダＢ３０４から、廃液チューブＢ３１２と廃液ジョイントＢ３１３を通して、メディアパックＣ１１０内のインク吸収体Ｃ１０７に排出される。
【００８３】
ポンプシリンダＢ３０４は、それを往復駆動するためのポンプモータＭ００４などと共にポンプユニットＢ３１５を構成する。ポンプモータＭ００４は、ワイパーリフタＢ３１６（図１０参照）を上下動させるための駆動源としても機能する。ワイパーリフタＢ３１６は、プリンタ部Ｂ１００に装着されたメディアパックＣ１００のワイパーＣ１０６を上動させることによって、そのワイパーＣ１０６を記録ヘッドＢ１２０のワイピングが可能な位置に移動させる。
【００８４】
図１０および図１１において、Ｂ３２１は、ポンプシリンダＢ３０４によって構成されるポンプの動作位置がホームポジションにあることを検出するポンプＨＰセンサである。また、Ｂ３２２は、前述したインク供給路および負圧導入路が形成されたことを検出するジョイントＨＰセンサである。また、Ｂ３２３は、プリンタ部Ｂ１００の本体を構成するシャーシである。
【００８５】
Ｄ「信号処理系」
図１２は、カメラ部Ａ１００とプリンタ部Ｂ１００の概略のブロック構成図である。
【００８６】
カメラ部Ａ１００において、１０１は撮像素子としてのＣＣＤ、１０２は音声入力のためのマイク、１０３はハードウェア処理を行なうＡＳＩＣ、１０４は画像データ等を一時的に記憶する第１メモリ、１０５は撮像画像を記憶するＣＦカード（「ＣＦカードＡ１０７」に相当）、１０６は撮影画像または再生画像を表示するＬＣＤ（「液晶表示部Ａ１０５」に相当）、１２０はカメラ部Ａ１００の制御をする第１ＣＰＵ、である。
【００８７】
プリンタ部Ｂ１００において、２１０は、カメラ部Ａ１００とプリンタ部Ｂ１００との間のインターフェース、２０１は画像処理部（画像を２値化する２値化処理部を含む）、２０２は画像処理を行なう上で使用する第２メモリ、２０３はバンドメモリ制御部、２０４はバンドメモリ、２０５はマスクメモリ、２０６はヘッド制御部、２０７は記録ヘッド（「記録ヘッドＢ１２０」に相当）、２０８はエンコーダ（「エンコーダセンサＢ１３１」に相当）、２０９はエンコーダカウンタ、２２０はプリンタ部Ｂ１００を制御する第２ＣＰＵ、２２１はモータドライバ、２２２はモータ（「モータＭ００１，Ｍ００２，Ｍ００３，Ｍ００４」に相当）、２２３はセンサ（「ＨＰセンサＢ１３４，Ｂ３２１，Ｂ３２２」を含む）、２２４はメディアパックＣ１００に内蔵されているＥＥＰＲＯＭ、２３０は音声エンコーダ部、２５０は装置全体に電源を供給する電源部（「電池Ａ１０８」に相当）、である。
【００８８】
図１３は、カメラ部Ａ１００における信号処理の説明図である。撮影モードの時は、レンズ１０７を通してＣＣＤ１０１により撮像された画像は、ＡＳＩＣ１０３により信号処理（ＣＣＤ信号処理）され、ＹＵＶ輝度２色差信号に変換される。更に、所定の解像度にリサイズされ、ＪＰＥＧ圧縮されてＣＦカード１０５に記録される。また、音声に関しては、マイク１０２より入力され、ＡＳＩＣ１０３を介してＣＦカード１０５に記憶される。音声の記録に関しては、撮影時と同時、または、撮影後のアフレコとして記憶させることができる。再生モードの時には、ＣＦカード１０５よりＪＰＥＧ画像が読み出され、ＡＳＩＣ１０３によりＪＰＥＧ伸張され、更に表示用の解像度にリサイズされてＬＣＤ１０６に表示される。
【００８９】
図１４は、プリンタ部Ｂ１００における信号処理の説明図である。
【００９０】
カメラ部Ａ１００側で再生された画像、即ちＣＦカード１０５より読み出された画像は、図１３のように、ＡＳＩＣ１０３によってＪＰＥＧ伸張され、プリントする解像度に適する解像度にリサイズされる。そして、リサイズされた画像データ（ＹＵＶ）はインターフェース部２１０を介してプリンタ部Ｂ１００へ送られる。プリンタ部Ｂ１００は、図１４のように、カメラ部Ａ１００より送られた画像データを画像処理部２０１により画像処理し、画像データのＲＧＢ信号への変換、カメラの特性に応じた入力γ補正、ルックアップテーブル（ＬＵＴ）を用いての色補正および色変換、プリントするための２値化信号への変換をする。２値化処理の際には、誤差拡散（ＥＤ）処理を行うために、誤差メモリとして第２メモリ２０２を用いる。本例の場合、画像処理部２０１における２値化処理部は誤差拡散処理を行なっているが、ディザパターンを使った２値化処理等、他の処理を行うことも可能である。２値化されたプリントデータはバンドメモリ制御部２０３によって、一旦バンドメモリ２０４に記憶される。プリンタ部Ｂ１００のエンコーダカウンタ２０９には、記録ヘッド２０７およびエンコーダ２０８を搭載したキャリッジＢ１０４が一定距離移動する毎に、エンコーダ２０８からのエンコーダパルスが入る。そして、このエンコーダパルスに同期して、バンドメモリ２０４とマスクメモリ２０５からプリントデータが読み出され、そのプリントデータに基づき、ヘッド制御部２０６が記録ヘッド２０７を制御して記録を行う。
【００９１】
図１４中のバンドメモリ制御について説明すると次のとおりである。
【００９２】
記録ヘッド２０７における複数のノズルは、例えば、１２００ｄｐｉの密度をなすように列状に形成されている。このような記録ヘッド２０７を用いて画像を記録すべく、キャリッジを１回走査させるときには、副走査方向（以下、「縦（Ｙ方向）」ともいう）においてはノズル数分、主走査方向（以下、「横（Ｘ方向）ともいう」）においては記録領域分の記録データ（１走査分の記録データ）を、予め作成しておく必要がある。記録データは、画像処理部２０１にて作成されてから、バンドメモリ制御部２０３によってバンドメモリ２０４に一旦蓄えられる。バンドメモリ２０４に１走査分の記録データが蓄えられた後、キャリッジが主走査方向に走査される。その際、エンコーダ２０８より入力されたエンコーダパルスがエンコーダカウンタ２０９によってカウントされ、このエンコーダパルスにしたがってバンドメモリ２０４から記録データが読み出され、その画像データに基づいて記録ヘッド２０７からインク滴が吐出される。記録ヘッド２０７の往走査時および復走査時に画像を記録（往路記録および復路記録）する双方向記録方式を採用した場合には、記録ヘッド２０７の走査方向に応じて、バンドメモリ２０４から画像データが読み出される。例えば、往路記録時は、バンドメモリ２０４から読み出される画像データのアドレスが順次インクリメントされ、復路記録時は、バンドメモリ２０４から読み出される画像データのアドレスが順次デクリメントされる。
【００９３】
実際には、画像処理部２０１により作成された画像データ（Ｃ，Ｍ，Ｙ）がバンドメモリ２０４に書き込まれて、１バンド分の画像データが準備されたとき、記録ヘッド２０７の走査が可能となる。そして、記録ヘッド２０７を走査し、バンドメモリ２０４より画像データを読み出して、その画像データに基づいて記録ヘッド２０７が画像を記録する。記録動作の間に、次に記録すべき画像データが画像処理部２０１にて作成され、その画像データは、その記録位置に対応するバンドメモリ２０４の領域に書き込まれる。
【００９４】
このように、バンドメモリ制御は、画像処理部２０１により作成された記録データ（Ｃ，Ｍ，Ｙ）をバンドメモリ２０４に書込む作業と、キャリッジの走査動作に合わせて、記録データ（Ｃ，Ｍ，Ｙ）をヘッド制御部２０６に送るために読み出す作業と、を切替えながら行なう。
【００９５】
図１４中のマスクメモリ制御について説明すると次のとおりである。
【００９６】
このマスクメモリ制御は、マルチパス記録方式を採用した場合に必要となる。マルチパス記録方式の場合、記録ヘッド２０７のノズル列の長さに相当する幅をもつ１行分の記録画像は、記録ヘッド２０７の複数回の走査に分けて記録される。すなわち、副走査方向に間欠的に搬送されるプリント媒体の搬送量がノズル列の長さの１／Ｎとされ、例えば、Ｎ＝２のときは、１行分の記録画像が２回の走査に分けて記録（２パス記録）され、Ｎ＝４のときは、１行分の記録画像が４回の走査に分けて記録（４パス記録）される。同様に、Ｎ＝８のときは８パス記録、Ｎ＝１６のときは１６パス記録となる。したがって、１行分の記録画像が記録ヘッド２０７の複数回の走査によって完成されることになる。
【００９７】
実際には、マスクメモリ２０５に、画像データを記録ヘッド２０７の複数回の走査に割り当てるためのマスクデータが格納されており、そのマスクデータと画像データとの論理積（ＡＮＤ）データに基づき、記録ヘッド２０７がインクを吐出して画像を記録する。
【００９８】
また、図１４において、ＣＦカード１０５に記憶された音声データは、ＡＳＩＣ１０２により、画像データと同じように、インターフェース２１０を介してプリンタ部Ｂ１００へ送られる。プリンタ部Ｂ１００に送られた音声データは、音声エンコーダ２３０においてコード化（エンコード）されて、プリントする画像の中にコードデータとして記録される。プリント画像に音声データを入れる必要の無い時、または、音声データの無い画像をプリントする際には、当然に、コード化された音声データはプリントされず、画像のみがプリントされる。
【００９９】
本実施形態においては、カメラ部Ａ１００とプリンタ部Ｂ１００が一体となったプリンタ内蔵カメラとして説明を行なってきた。しかし、カメラ部Ａ１００とプリンタ部Ｂ１００を分離した別々の装置とし、それらをインターフェース２１０により接続した構成においても同様に構成して、同様の機能を実現することが可能である。
【０１００】
「特徴的な構成」
以下、本発明の特徴的な構成の実施形態について説明する。
【０１０１】
図１５は、カメラ部Ａ１００を主体として、前述した図１２のカメラ一体型プリンタのブロック構成図を概略的に現した図である。
【０１０２】
図１５において、カメラ一体型プリンタのカメラ部Ａ１００には、ＣＰＵ１（図１２の「第１ＣＰＵ１２０」に相当）、ＲＯＭ２、ＲＡＭ３、キー入力装置４、画像撮影装置５（図１２の「ＣＣＤ１０１」を含む）とデジタル画像生成ユニット６、画像表示装置７（図１２の「ＬＣＤ１０６」を含む）、および画像格納装置８（図１２の「メモリ１０４」および「ＣＦカード１０５」を含む）が備えられている。また、図１５において、プリンタ部Ｂ１００はインターフェース９（図１２の「インターフェース２１０」に相当）とプリント装置１０によって構成されている。
【０１０３】
また、プリンタに接続されるカメラ、およびプリンタに接続されるカメラ内蔵の情報機器として、カメラ部Ａ１００が構成される場合には、図１５におけるプリント装置１０がカメラ外部のプリント装置となり、この外部のプリント装置１０とインターフェース９は、外部プリント装置用の接続ケーブル、もしくは赤外線通信手段によって、カメラ部Ａ１００に接続されることになる。また、プリンタに接続されるカメラ内蔵の通信機器としてカメラ部Ａ１００が構成される場合には、さらにデータ通信装置が加えられることになる。また、プリンタに接続されるカメラ内蔵のＰＣ、ＰＣカードカメラをコントロールするプリンタに接続されたＰＣ、および遠隔操作が可能なカメラをコントロールするプリンタに接続された情報機器が構成される場合には、さらに汎用外部インターフェースにアクセスするための装置が加えられることになる。
【０１０４】
図１５において，ＣＰＵ１は、ＲＯＭ２に格納された各種プログラムを実行し、必要に応じてＲＡＭ３にデータを書込んだり、ＲＡＭ３のデータを参照する処理を実行する。
【０１０５】
ＲＯＭ２には、上述した通信機記や情報機器の制御を司るためのメインプログラム、およびカメラ一体型プリンタにおける各構成部の制御を司るためのプログラムなどが格納されている。また、ＲＯＭ２には、キー入力装置４からの入力指示に基づいて、種々の操作モードにおいて必要な処理を実行するためのプログラムも格納されている。ＲＡＭ３は、後述するように、ＲＯＭ２に格納されたプログラムの実行に伴なって、必要なデータが書込まれたり、書込まれたデータが参照されたりする。また、ＲＡＭ３は、後述するように、各種処理の実行に伴なって撮影画像を展開するバッファとして使用されたり、各種処理の設定状態を記録管理する管理メモリとして使用されたり、各種処理を実行する上でのワークメモリとして使用されたりする。
【０１０６】
キー入力装置４は、後述するように、各種操作モードを切替えるための指示を与えるキー入力、および切替えられた操作モードにおける各種処理の実行を促すためのキー入力を行う。また、キー入力装置４は、撮影処理の実行指示、プリント部数の指定指示、およびプリント処理の実行指示などの各種実行指示の入力を行う。
【０１０７】
画像撮影装置５は、画像撮影操作モードにおいて撮影処理の実行指示がなされた場合に、光学系の装置を通して画像の撮影処理をする。デジタル画像生成ユニット６は、画像撮影装置５における光学系の装置を通して撮影された画像データをデジタル化し、各種処理において取扱うことが可能なデータを生成する。画像表示装置７は、後述するように、撮影された画像データ、再生された画像データ、加工された画像データ、プリント部数を示す数字データ、エラーメッセージ、および操作を促すメッセージを示す文字データなどを、実行プログラムの指示に基づいて表示する。
【０１０８】
画像格納装置８は、撮影された画像データをＣＦカードを始めとするメモリカード等の格納メディア（図１２中の「ＣＦカード１０５」を含む）に書込む処理と、格納メディアに格納されている画像データを読込み再生する処理を行う。また、この画像格納装置８は、プリント指定されたデータをプリント指定ファイルとして書込んだり、このプリント指定ファイルを読込んだりする処理にも使用されて、プリント処理の実行を促したり、プリント指定データを更新したりする処理を行う。
【０１０９】
ＣＰＵ１の制御下におけるプリンタドライバ（図示せず）は、プリント用に展開された画像データをプリントデータに変換し、プリント装置１０との取り決めに基づいて、プリント装置１０へプリント実行の依頼を発行する。また、プリント装置１０からの応答に基づくメッセージを画像表示装置７へ表示する処理も行う。プリント装置１０は、プリンタドライバ９により発行された依頼内容に基づいて、プリント処理を実行する。
【０１１０】
次に、本発明の特徴的な構成を実施形態毎に説明する。
【０１１１】
（第１の実施形態）
図１６は、本発明の第１の実施形態における制御系の主要部を説明するための機能ブロック図である。図１６において、１１００は、各種操作モードを切替えるための操作モード切替え手段である。１１１０は設定モード操作手段であり、切替え手段１１００により切替えられた操作モードに応じて、カメラの操作状態を設定する。１１２０は、画像を撮影するための操作を行う画像撮影モード操作手段である。１１３０は、撮影した画像を再生するための操作を行う画像再生モード操作手段、１１４０は、撮影した画像をプリント指定するための操作を行うプリント指定操作手段、１１５０は、撮影した画像を加工するための操作を行う画像加工操作手段である。
【０１１２】
図１７は、図１６中の設定モード操作手段１１１０の機能ブロック図である。図１７において、１１１１は、設定項目の表示処理を含め、設定モードにおける操作の管理を行う設定値管理手段である。１１１２は設定項目指定手段であり、管理手段１１１１により管理されて、設定値の設定項目を指定する。１１１３は設定値入力手段であり、指定手段１１１２により指定された設定項目に、設定値入力もしくは設定を行う。１１１４は設定値管理メモリであり、入力手段１１１２により入力された値を管理し記憶する。
【０１１３】
図１８は、図１６中の画像撮影モード操作手段１１２０の機能ブロック図である。図１８において、１１２１は、画像の撮影処理に関する操作を管理する画像撮影操作管理手段である。１１２２は画像撮影手段であり、操作管理手段１１２１により撮影指示がなされた場合に、直接もしくはリモートコントロールにより、画像の撮影処理を行う。１１２３は、撮影手段１１２２により撮影された画像を格納メディアに格納する撮影画像管理手段である。１１２４はプリント部数指定手段であり、管理手段１１２２により画像が格納メディアに格納された後、操作管理手段１１２１によりプリント部数指定の指示がなされた場合に、格納された撮影画像に対してプリント部数の指定を行う。１１２５はプリント指定ファイル生成手段であり、指定手段１１２４によりプリント部数が指定された場合に、対象となる撮影画像およびプリント部数をプリント対象画像として指定するためのプリント指定ファイルを生成する。１１２６は、画像プリント手段であり、操作管理手段１１２１によりプリント実行指示がなされた場合に、プリント指定ファイル生成手段１１２５により生成されたプリント指定ファイルに指定された内容に基づいて、プリント処理を実行する。１１２７は、プリント指定ファイルに指定された内容を解析するプリント指定ファイル解析手段である。また、撮影画像管理手段１１２３は、指定された撮影画像を格納メディアより読込む。
【０１１４】
図１９は、図１８中の撮影画像管理手段１１２３の機能ブロック図である。本例の撮影画像管理手段１１２３において、撮影画像取扱い振分け手段１２３１は、撮影画像の取扱い処理を振分けることによって、図１２中のＣＦカード１９５などの撮影画像格納メディア１２３４を管理する。すなわち、図１８中の画像撮影手段１１２２からの依頼のように撮影画像の書込み指示がなされた場合には、撮影画像書込み手段１２３２により、撮影画像格納メディア１２３４に撮影画像を書込む。また、図１８中の画像プリント手段１１２６からの依頼のように撮影画像の読込み指示がなされた場合には、撮影画像読込み手段１２３３により、撮影画像格納メディア１１３４に格納されている撮影画像を指示に基づいて読込む。
【０１１５】
図２０は、図１６中の画像再生モード操作手段１１３０の機能ブロック図である。図２０において、１１３１は、画像の再生処理に関する操作を管理する画像再生操作管理手段である。１１２３は撮影画像管理手段であり、操作管理手段１１３１により再生指示がなされた場合に、再生指示のなされた画像を図１９中の格納メディア１１３４から読込む。１１３２は、読込まれた画像の再生処理を行う画像再生手段である。１１２４はプリント部数指定手段であり、操作管理手段１１３１によりプリント部数指定指示が-なされた場合に、格納された撮影画像に対してプリント部数の指定を行う。１１２５はプリント指定ファイル生成手段であり、指定手段１１２４によりプリント部数が指定された場合に、対象となる撮影画像およびプリント部数をプリント対象画像として指定するためのプリント指定ファイルを生成する。１１２６は画像プリント手段であり、操作管理手段１１３１によりプリント実行指示がなされた場合に、プリント指定ファイル生成手段１１２５により生成されたプリント指定ファイルの指定内容に基づいて、プリント処理を実行する。１１２７はプリント指定ファイル解析手段であり、プリント指定ファイルに指定された内容を解析する。
【０１１６】
図２１は、図１６中のプリント指定操作手段１１４０の機能ブロック図である。図２１において、１１４１は、撮影画像のプリント指定処理に関する操作を管理するためのプリント指定操作管理手段である。１１４２は画像指定手段であり、操作管理手段１１４１によりプリント指定の指示がなされた場合に、指定された撮影画像を格納メディアから読込む撮影画像管理手段１１２３を用いて、指定対象となる画像を読込み再生してプリント指定の処理を行う。１１２４はプリント部数指定手段であり、操作管理手段１１４１により、プリント指定対象となる撮影画像のプリント部数指定の指示がなされた場合に、指示された撮影画像に対してプリント部数の指定を行う。１１２５はプリント指定ファイル生成手段であり、指定手段１１２４によりプリント部数が指定された場合に、対象となる撮影画像とプリント部数をプリント対象画像として指定するためのプリント指定ファイルを生成する。１１２６は画像プリント手段であり、操作管理手段１１４１によりプリント実行の指示がなされた場合に、プリント指定ファイル生成手段１１２５により生成されたプリント指定ファイルの指定内容に基づいて、プリント処理を実行する。１１２７はプリント指定ファイル解析手段であり、プリント指定ファイルに指定された内容を解析する。
【０１１７】
図２２は、図１６中の画像加工操作手段１５０の機能ブロック図である。図２１において、１１５１は、撮影画像の加工処理に関する操作を管理する加工画像操作管理手段である。１１５２は画像加工手段であり、操作管理手段１１５１により加工画像再生の指示がなされた場合に、指定された撮影画像を格納メディアから読込む撮影画像管理手段１１２３を用いて、指定対象となる画像を読込み再生する。１１２４はプリント部数指定手段であり、画像加工対象となっている加工画像のプリント部数指定の指示が操作管理手段１１５１によりなされた場合に、指示された加工画像に対してプリント部数の指定を行う。１１２５は、前述したプリント指定ファイル生成手段であり、指定手段１１２４によりプリント部数が指定された場合に、対象となる加工画像とプリント部数をプリント対象画像として指定するためのプリント指定ファイルを生成する。１１２６は画像プリント手段であり、操作管理手段１１５１によりプリント実行指示がなされた場合に、プリント指定ファイル生成手段１１２５により生成されたプリント指定ファイルの指定内容に基づいて、プリント処理を実行する。１１２７はプリント指定ファイル解析手段であり、プリント指定ファイルに指定された内容を解析する。
【０１１８】
次に、作用について説明する。以下の説明において用いるフローチャートには、処理内容と処理手段とを対応付けるために、処理内容と共に、それを実行する代表的な手段の符号を付している。
【０１１９】
図２３は、図１６の制御系の処理を説明するためのフローチャートである。まず、装置の電源ＯＮにより、装置の初期化処理が行われてから（ステップＳ１）、操作モードの切替え入力待ち状態となる（ステップＳ２、Ｓ３）。この切替え入力待ち状態において、電源ＯＦＦのキー入力があると（ステップＳ２）、終了処理（ステップＳ４）を実行してから、電源をＯＦＦにして終了する。また、切替え入力待ち状態において、操作モードの切替え用のキー入力があると、モード判別処理（ステップＳ５）により操作モードを切替える。すなわち、「設定モード」に切替えられたときは設定モード操作処理（ステップＳ１０）を実行し、「画像撮影モード」に切替えられたときは画像撮影モード操作処理（ステップＳ３０）を実行し、「画像再生モード」に切替えられたときは画像再生モード操作処理（ステップＳ５０）を実行し、「プリント指定モード」に切替えられたときはプリント指定操作処理（ステップＳ７０）を実行し、「画像加工モード」に切替えられたときは画像加工操作処理（ステップＳ９０）を実行する。
【０１２０】
図２４は、図２３の設定モード操作処理（ステップＳ１０）を説明するためのフローチャートである。
【０１２１】
この設定モード操作処理においては、まず、設定モードに切替えられた時点にて初期化処理（ステップＳ１１）を行い、キー入力の待ち状態となる（ステップＳ１２、Ｓ１３）。このキー入力の待ち状態において、電源ＯＦＦのキー入力があると（ステップＳ１２）、終了処理（ステップＳ１４）を実行してから、電源をＯＦＦにして終了する。また、キー入力の待ち状態において、電源ＯＦＦキー以外のキーからの有効なキー入力があると、その入力キーをキー判別処理（ステップＳ１５）により判別し、入力キーの種類に応じた処理を実行する。すなわち、入力キーが「設定項目移動キー」の場合には設定項目の指定処理を実行し（ステップＳ１１０）、入力キーが「設定内容移動キー」の場合には設定内容の指定処理を実行する（ステップＳ１３０）。また、入力キーが「設定モードの終了キー」の場合には、設定モード操作の終了処理（ステップＳ１７０）を実行して、設定モード操作処理を終了する。また、その他のキーから入力があった場合には、その入力キーに応じた必要な処理が実行される。
【０１２２】
図２５は、図２３の画像撮影モード操作処理（ステップＳ３０）を説明するためのフローチャートである。
【０１２３】
この画像撮影モード操作処理においては、まず、画像撮影モードに切替えられた時点にて初期化処理（ステップＳ３１）を行い、キー入力の待ち状態となる（ステップＳ３２、Ｓ３３）。このキー入力の待ち状態において、電源ＯＦＦのキー入力があると（ステップＳ３２）、終了処理（ステップＳ３４）を実行してから、電源をＯＦＦにして終了する。また、キー入力の待ち状態において、電源ＯＦＦキー以外のキーからの有効なキー入力があると、その入力キーをキー判別処理（ステップＳ３５）により判別し、入力キーの種類に応じた処理を実行する。すなわち、入力キーが「シャッターキー」の場合には、画像を撮影する画像撮影処理（ステップＳ３６）を行い、撮影した画像を格納メディア（ＣＦカードを始めとするメモリカード）に格納する撮影画像格納処理（ステップＳ３７）を実行する。入力キーがプリント部数を指定する「部数指定キー」の場合には、プリント部数指定処理（ステップＳ３８）により、撮影した画像のプリント部数を指定し、その指定されたプリント部数に基づいてプリント指定ファイルを作成してから、そのプリント指定ファイルを格納メディアに書込むプリント指定ファイル書込み処理（ステップＳ３９）を実行する。また、入力キーが「プリント実行キー」の場合には、プリント指定ファイル読込み処理（ステップＳ４０）により、格納メディアに格納されているプリント指定ファイルを読込み、そして、そのプリント指定ファイルを解析して、プリント実行パラメータを作成した上、そのプリント実行パラメータに基づくプリント処理をプリント実行処理（ステップＳ４１）にて実行する。入力キーが「画像撮影モードの終了キー」の場合には、画像撮影モード操作の終了処理（ステップＳ４３）を実行して、画像撮影モード操作処理を終了する。また、その他のキーからのキー入力があった場合には、そのキーに応じた必要な処理を実行する（ステップＳ４２）。
【０１２４】
図２６は、図２３の画像再生モード操作処理（ステップＳ５０）を説明するためのフローチャートである。
【０１２５】
この画像再生モード操作処理においては、まず、画像再生モードに切替えられた時点にて初期化処理（ステップＳ５１）を行い、キー入力の待ち状態となる（ステップＳ５２、Ｓ５３）。このキー入力の待ち状態において、電源ＯＦＦのキー入力があると（ステップＳ５２）、終了処理（ステップＳ５４）を実行してから、電源をＯＦＦにして終了する。また、キー入力の待ち状態において、電源ＯＦＦキー以外のキーからの有効なキー入力があると、その入力キーをキー判別処理（ステップＳ５５）により判別し、入力キーの種類に応じた処理を実行する。すなわち、入力キーが「再生画像の切替えキー／再生モードの切替えキー」の場合には、画像再生処理（ステップＳ５６）により、再生する画像の切替え／再生モードの切替えを行ってから、再生画像表示処理（ステップＳ５７）により、再生された画像を表示する。入力キーが「プリント部数の指定キー」の場合には、プリント部数指定処理（ステップＳ３８）により、切替えられた画像のプリント部数を指定し、その指定されたプリント部数に基づいてプリント指定ファイルを作成してから、そのプリント指定ファイルを格納メディアに書込むプリント指定ファイル書込み処理（ステップＳ５９）を実行する。また、入力キーが「プリント実行キー」の場合には、プリント指定ファイル読込み処理（ステップＳ６０）により、格納メディアに格納されているプリント指定ファイルを読込み、そして、そのプリント指定ファイルを解析して、プリント実行パラメータを作成した上、そのプリント実行パラメータに基づくプリント処理（ステップＳ６１）を実行する。入力キーが「画像撮影モードの終了キー」の場合には、画像再生モード操作の終了処理（ステップＳ６３）を実行して、画像再生モード操作処理を終了する。また、その他のキーからのキー入力があった場合には、そのキーに応じた必要な処理を実行する（ステップＳ６２）。
【０１２６】
図２７は、図２３のプリント指定操作処理（ステップＳ７０）を説明するためのフローチャートである。
【０１２７】
このプリント指定操作処理においては、まず、プリント指定モードに切替えられた時点にて初期化処理（ステップＳ７１）を行い、キー入力の待ち状態となる（ステップＳ７２、Ｓ７３）。このキー入力の待ち状態において、電源ＯＦＦのキー入力があると（ステップＳ７２）、終了処理（ステップＳ７４）を実行してから、電源をＯＦＦにして終了する。また、キー入力の待ち状態において、電源ＯＦＦキー以外のキーからの有効なキー入力があると、その入力キーをキー判別処理（ステップＳ７５）により判別し、入力キーの種類に応じた処理を実行する。すなわち、入力キーが「指定画像切替えキー」の場合には、プリント指定対象画像の再生処理（ステップＳ７６）により、プリント指定対象の画像の切替えを行ってから、再生画像表示処理（ステップＳ７７）により、再生されたプリント指定対象の画像を表示する。入力キーが「プリント部数の指定キー」の場合には、プリント部数指定処理（ステップＳ７８）により、切替えられた画像のプリント部数を指定し、その指定されたプリント部数に基づいてプリント指定ファイルを作成してから、そのプリント指定ファイルを格納メディアに書込むプリント指定ファイル書込み処理（ステップＳ７９）を実行する。また、入力キーが「プリント実行キー」の場合には、プリント指定ファイル読込み処理（ステップＳ８０）により、格納メディアに格納されているプリント指定ファイルを読込み、そして、そのプリント指定ファイルを解析して、プリント実行パラメータを作成した上、そのプリント実行パラメータに基づくプリント処理をプリント実行処理（ステップＳ８１）にて実行する。入力キーが「プリント指定モードの終了キー」の場合には、プリント指定操作の終了処理（ステップＳ８３）を実行して、プリント指定操作処理を終了する。また、その他のキーからのキー入力があった場合には、そのキーに応じた必要な処理を実行する（ステップＳ８２）。
【０１２８】
図２８は、図２３の画像加工操作処理（ステップＳ９０）を説明するためのフローチャートである。
【０１２９】
この画像加工操作処理においては、まず、画像加工モードに切替えられた時点にて初期化処理（ステップＳ９１）を行い、キー入力の待ち状態となる（ステップＳ９２、Ｓ９３）。このキー入力の待ち状態において、電源ＯＦＦのキー入力があると（ステップＳ９２）、終了処理（ステップＳ９４）を実行してから、電源をＯＦＦにして終了する。また、キー入力の待ち状態において、電源ＯＦＦキー以外のキーからの有効なキー入力があると、その入力キーをキー判別処理（ステップＳ９５）により判別し、入力キーの種類に応じた処理を実行する。すなわち、入力キーが「加工画像切替えキー」の場合には、画像加工処理（ステップＳ９６）により、画像の加工処理を行ってから、加工画像表示処理（ステップＳ９７）により、加工された画像を表示する。入力キーが「プリント部数の指定キー」の場合には、プリント部数指定処理（ステップＳ９８）により、加工された画像のプリント部数を指定し、その指定されたプリント部数に基づいてプリント指定ファイルを作成してから、そのプリント指定ファイルを格納メディアに書込むプリント指定ファイル書込み処理（ステップＳ９９）を実行する。また、入力キーが「プリント実行キー」の場合には、プリント指定ファイル読込み処理（ステップＳ１００）により、格納メディアに格納されているプリント指定ファイルを読込み、そして、そのプリント指定ファイルを解析して、プリント実行パラメータを作成した上、そのプリント実行パラメータに基づくプリント処理をプリント実行処理（ステップＳ１０１）にて実行する。入力キーが「画像加工モードの終了キー」の場合には、画像加工操作の終了処理（ステップＳ１０３）を実行して、画像加工操作処理を終了する。また、その他のキーからのキー入力があった場合には、そのキーに応じた必要な処理を実行する（ステップＳ１０２）。
【０１３０】
以上のように、本実施形態においては、カメラもしくはカメラをコントロールする機器において、画像を撮影する画像撮影モード（ステップＳ３０）と、撮影した画像を再生する画像再生モード（ステップＳ５０）と、外部の機器を用いたプリント時に、プリントさせるプリント指定情報を設定するプリント指定モード（ステップＳ９０）と、撮影した画像に対して加工編集処理を施す画像加工モード（ステップＳ９０）と、のいずれの操作モードにおいても、プリント対象となる画像の指定（ステップＳ４０，Ｓ６０，Ｓ８０，Ｓ１００）と、そのプリント部数の指定（ステップＳ３８，Ｓ５８，Ｓ７８，Ｓ９８）ができ、そして、この指定された画像に関してのプリント指示がなされた時点において、指定指定内容に基づくプリント実行処理（ステップＳ４１，Ｓ６１，Ｓ８１，Ｓ１０１）をプリント指定ファイルを用いて実行できる。これにより、従来技術にはなかった操作性の向上を実現することができる。
【０１３１】
（第２の実施形態）
図２９は、本実施形態における設定モード操作手段１１１０の機能ブロック図であり、前述した第１の実施形態における図１７の設定モード操作手段１１１０に、日付プリント設定手段１２１０を備えた構成となっている。この日付プリント設定手段は、設定項目として、日付のプリントをするか否かを設定するためのものである。
【０１３２】
図３０は、前述した第１の実施形態における図１８中のプリント指定ファイル生成手段１１２５を本実施形態に適応させた場合の構成例を説明するための機能ブロック図である。
【０１３３】
図３０において、１２２１はプリント画像ファイル名取得手段であり、プリント指定のされた撮影画像をプリント対象画像として、そのファイル名を取得する。１２２２は、日付プリント設定判別手段であり、前述した図２９の設定モード操作手段１１１０により設定された日付プリント設定項目の設定内容が記憶されている設定値管理メモリ１１１４を参照し、日付プリントの設定内容を判別する。１２２３は、撮影画像の撮影日付をプリント日付データとして取得する日付データ取得手段である。１２２４は、設定されたプリント部数をプリント部数データとして取得するプリント部数データ取得手段である。１２２０は、それぞれの取得データをプリント指定データとして生成するプリント指定データ生成手段である。１２２５は、その生成手段１２２０により生成されたプリント指定データをプリント指定ファイルとして格納メディアに格納するプリント指定ファイル書込み手段である。
【０１３４】
図３１は、前述した第１の実施形態における図１８中のプリント指定ファイル解析手段１１２７を本実施形態に適応させた場合の構成例を説明するための機能ブロック図である。
【０１３５】
図３１において、１２３４は、格納メディアに格納されているプリント指定ファイルを読込むプリント指定ファイル読込み手段である。１２３０は、読込んだプリント指定ファイルのデータを解析するプリント指定データ解析手段である。１２３１はプリント画像ファイル名設定手段であり、解析手段１２３０からプリント対象となるプリント画像ファイル名を取得し、プリント実行パラメータとしてプリント画像ファイル名を設定する。１２３２は日付データ設定手段であり、解析手段１２３０からプリント対象となる画像ファイルの日付データが取得できる場合には、その日付データを取得し、それが取得できない場合には日付データにNull（＝０）をセットし、プリント実行パラメータとしてプリント日付データを設定する。１２３３はプリント部数設定手段であり、解析手段１２３０からプリント対象となる画像ファイルのプリント部数を取得し、プリント実行パラメータとしてプリント部数データを設定する。
【０１３６】
図３２は、前述した第１の実施形態における図１８中の画像プリント手段１１２６を本実施形態に適応させた場合の構成例を説明するための機能ブロック図である。
【０１３７】
図３２において、１２４０は、プリント実行時のパラメータとして設定されるプリント実行パラメータを取得するための取得手段である。１２４１はプリント画像展開手段であり、プリント実行パラメータに設定されているプリント画像ファイル名に基づいて、撮影画像管理手段１１２３（図１８参照）からプリント画像ファイルを読込み、読込んだ画像をプリント実行のために展開する。１２４３は画像データプリント手段であり、プリント実行パラメータにNull（＝０）以外の日付データが設定されている場合には、その日付データをプリント画像展開手段１２４１による展開画像に合成する。１２４３は、展開画像および日付データが合成された展開画像をプリントする画像データプリント手段である。１２４４はプリント部数繰り返し手段であり、プリント実行パラメータに設定されているプリント部数を取得し、その取得したプリント部数分のプリント処理を繰り返す。
【０１３８】
また、そのプリント部数繰り返し手段１２４４は、プリント実行パラメータに指定されたプリント部数分のプリント処理を繰り返すために、プリント画像展開手段１２４１、日付プリントデータ合成手段１２４２、および画像データプリント手段２４３による処理を指定されたプリント部数分繰り返し実行させるものであってもよい。
【０１３９】
次に、本実施形態の作用について説明する。以下の説明において用いるフローチャートには、処理内容と処理手段とを対応付けるために、処理内容と共に、それを実行する代表的な手段の符号を付している。
【０１４０】
図３３は、前述した第１の実施形態における図２４中の設定項目指定処理（ステップＳ１１０）を本実施形態に適応させた場合の処理例を説明するためのフローチャートである。
【０１４１】
本実施形態の設定モード操作処理における設定項目指定処理は、まず、入力された設定項目移動キーの判別処理（ステップＳ１１１）をする。入力キーが「前方設定項目移動キー」の場合には、前方設定項目指定処理（ステップＳ１１２）により、種々の設定項目の表示画面上にてカーソルを前方へ順次移動させ、そのカーソルによって設定項目を選択的に指定することによって、その設定項目に応じた処理をする。例えば、日付プリント設定項目が指定されたときには、それを設定すべき項目として指定処理（ステップＳ１１３）し、その他の設定項目が指定されたときには、それを設定すべき項目として指定処理（ステップＳ１１４）する。一方、入力キーが「後方設定項目移動キー」の場合には、後方設定項目指定処理（ステップＳ１１５）により、種々の設定項目の表示画面上にてカーソルを後方へ順次移動させ、そのカーソルによって設定項目を選択的に指定することによって、その設定項目に応じた処理をする。例えば、日付プリント設定項目が指定されたときには、それを設定すべき項目として指定処理（ステップＳ１１６）し、その他の設定項目が指定されたときには、それを設定すべき項目として指定処理（ステップＳ１１７）する。
【０１４２】
図３４は、前述した第１の実施形態における図２４中の設定内容指定処理（ステップＳ１３０）を本実施形態に適応させた場合の処理例を説明するためのフローチャートである。
【０１４３】
上述した図３３の設定項目指定処理により日付プリント設定項目が指定された場合は、この図３４の設定内容指定処理により、日付プリントの“あり”または“なし”の指定、つまり日付プリントをするか否かの指定をする。すなわち、まず、入力された設定内容移動キーの判別処理（ステップＳ１３１）をし、入力キーが「前方設定内容移動キー」の場合には、前方設定内容指定処理（ステップＳ１３２）により、種々の設定内容の表示画面上にてカーソルを前方へ順次移動させ、そのカーソルによって“あり”の表示部分を指定したときには、日付プリント“あり”の指定処理（ステップＳ１３３）をして、その指定内容を設定内容管理メモリ（本例の場合は、図２９中の「設定内容管理メモリ１１１４」）に記憶させ、また、カーソルによって“なし”の表示部分を指定したときには、日付プリント“なし”の指定処理（ステップＳ１３４）をして、その指定内容を設定内容管理メモリに記憶させる。一方、入力キーが「後方設定内容移動キー」の場合には、後方設定内容指定処理（ステップＳ１３５）により、種々の設定内容の表示画面上にてカーソルを前方へ順次移動させる。そして、カーソルによって“あり”の表示部分を指定したときには、日付プリント“あり”の指定処理（ステップＳ１３６）をして、その指定内容を設定内容管理メモリに記憶させ、また、カーソルによって“なし”の表示部分を指定したときには、日付プリント“なし”の指定処理（ステップＳ１３７）をして、その指定内容を設定内容管理メモリに記憶させる。
【０１４４】
図３５は、前述した第１の実施形態における図２５中のプリント指定ファイル書込み処理（ステップＳ３９）を本実施形態に適応させた場合の処理例を説明するためのフローチャートである。
【０１４５】
本実施形態のプリント指定ファイル書込み処理においては、まず、プリント画像ファイル名取得処理（ステップＳ２１１）により、撮影されて格納メディアに格納された画像ファイルのファイル名を取得する。この取得された画像ファイルに関して、日付データ取得判別処理（ステップＳ２１２）により、前述した図３４の指定処理によって設定内容管理メモリに指定された日付プリントの設定内容を参照して、日付プリントの“あり”または“なし”の判別をする。そして、日付プリント“あり”の場合には、日付データ取得処理（ステップＳ２１３）により、画像ファイルに記録されている日付データを取得する。一方、日付プリント“なし”の場合には、日付データの取得処理を行うことなく、処理を継続する。次に、指定されたプリント部数データの取得処理（ステップＳ２１４）を行い、それぞれ取得されたファイル名、日付データ、および部数をプリント指定データとして生成処理（ステップＳ２１５）する。そして、プリント指定データ書込み処理（ステップＳ２１６）により、その生成されたプリント指定データをプリント指定ファイルとしてファイル化する。そして、この作成されたプリント指定ファイルの解析とプリントパラメータの生成が前述した図２５のプリント指定ファイル読込み処理（ステップＳ４０）において行われてから、前述した図２５のプリント実行処理（ステップＳ４１）によりプリントが実行される。
【０１４６】
図３６は、前述した第１の実施形態における図２５中のプリント指定ファイル読込み処理（ステップＳ４０）を本実施形態に適応させた場合の処理例を説明するためのフローチャートである。
【０１４７】
本実施形態のプリント指定ファイル読込み処理においては、まず、プリント指定データの読込み処理（ステップＳ２２１）により、プリント指定ファイル中のプリント指定データを読込み、プリント画像ファイル名の取得処理（ステップＳ２２２）、日付データの取得処理（ステップＳ２２３）、および日付データの判定処理（ステップＳ２２４）が実行される。日付データがプリント指定データ中に存在しない場合には、日付データのデフォルトデータとして、Null（＝０）データを設定する処理（ステップＳ２２５）が行われる。その後、プリント部数データの取得処理（ステップＳ２２６）を行ってから、プリントパラメータ生成処理（ステップＳ２２７）により、それぞれ取得されたファイル名、日付データ、およびプリント部数をプリントパラメータとして生成する。
【０１４８】
図３７は、前述した第１の実施形態における図２５中のプリント実行処理（ステップＳ４１）を本実施形態に適応させた場合の処理例を説明するためのフローチャートである。
【０１４９】
本実施形態におけるプリント実行処理は、前述した図３６の読込み処理により生成されたプリントパラメータに基づいて実行される。まずは、プリントパラメータの解析処理（ステップＳ２３１）を行い、これにより取得された画像ファイル名の画像データの展開処理（ステップＳ２３２）を行う。そして、この展開された画像データに対して、取得された日付データを画像データとして合成する処理を日付データ合成展開処理（ステップＳ２３３）にて実行する。この日付データ合成展開処理においては、取得された日付データがNull（＝０）の場合には、合成処理を行うことなく、処理を終了する（ステップＳ２３４）。そして、このようにして展開されたプリント画像データをプリント処理（ステップＳ２３５）においてプリントする。そして、そのプリント処理に伴なってプリント部数データを順次減算（ステップＳ２３６）し、プリント部数に指定された回数分だけプリント処理を繰り返して（ステップＳ２３７）、全部数分のプリントをする。したがって、本例の場合には、プリントすべき画像データをページデータとして作成してから、プリント部数分だけプリント処理を繰り返すことになる。
【０１５０】
図３８は、上述した図３７のプリント実行処理の変形例を説明するためのフローチャートである。
【０１５１】
本例の場合は、プリント画像データの展開処理（ステップＳ２３２）、日付データ合成展開処理（ステップＳ２３３）、およびプリント処理（ステップＳ２３５）を任意のラスター単位で実行し、それをプリント部数に応じて指定された回数分だけ繰り返す。本例によっても図３７の場合と同様の処理をすることができる。
【０１５２】
また、本実施形態における図３５のプリント指定ファイル書き込み処理、図３６のプリント指定ファイル読込み処理、図３７および図３８のプリント実行処理は、図２５の画像撮影モード操作処理においてのみならず、図２６の画像再生モード操作処理、図２７のプリント指定操作処理、および図２８の画像加工操作処理においても同様に実施することが可能である。
【０１５３】
以上のように、本実施形態においては、カメラもしくはカメラをコントロールする機器において、画像のプリントに際し、プリント対象となる撮影画像の撮影した日付を合成してプリントするか否かの指定ができ、その指定がなされた場合に、プリント対象となる撮影画像に日付を合成してプリントすることができる。これにより、従来技術にはなかった操作性の向上を実現することができる。
【０１５４】
（第３の実施形態）
図３９は、前述した第１の実施形態における図１８の画像撮影モード操作手段１１２０を本実施形態に適応させた場合の構成例を説明するための機能ブロック図である。
【０１５５】
本実施形態における画像撮影モード操作手段は、前述した第１の実施形態における図１８の画像撮影モード操作手段におけるプリント指定ファイル生成手段１１２５およびプリント指定ファイル解析手段１１２７に代えて、一括プリント指定ファイル生成手段１３１０と一括プリント指定ファイル解析手段１３２０を備えている。一括プリント指定ファイル生成手段１３１０は、画像撮影操作管理手段１１２１からの指示により、一括してプリント指定ファイルを生成する。また、一括プリント指定ファイル解析手段１３２０は、画像プリント手段１１２６の実行に際し、複数の画像を指定するプリント指定ファイルを解析して、プリント処理の実行を促す。
【０１５６】
図４０は、上述した図３９中の一括プリント指定ファイル生成手段１３１０の構成例を説明するための機能ブロック図である。
【０１５７】
この一括プリント指定ファイル生成手段１３１０に関しては、前述した第２の実施形態における図３０のプリント指定ファイル生成手段１１２５との相違点について説明する。一括プリント指定ファイル生成手段１３１０において、１３１２はプリント指定データ登録手段であり、プリント画像ファイル名取得手段１２２１により取得されたファイル名、日付データ取得手段１２２３によって取得されたプリント日付データ、およびプリント部数データ取得手段１２２４によって取得されたプリント部数などの各取得データをプリント指定データとして、プリントデータ登録メモリ１３１１に登録する。プリント指定ファイル書込み手段１２２５は、前述した第１の実施形態における図１８の画像撮影操作管理手段１１２１からの指示により、登録メモリ１３１１に登録されたプリント指定データをプリント指定ファイルとして格納メディアに格納する。
【０１５８】
図４１は、上述した図３９中の一括プリント指定ファイル解析手段１３２０の構成例を説明するための機能ブロック図である。
【０１５９】
この一括プリント指定ファイル解析手段１３２０に関しては、前述した第２の実施形態における図３１のプリント指定ファイル解析手段１１２７との相違点について説明する。一括プリント指定ファイル解析手段１３２０において、プリント指定ファイル読込み手段１２３４は、格納メディアに格納されているプリント指定ファイルをプリント指定データ展開メモリ１３２１へ読込む。プリント指定データ特定手段１３２３は、取得画像指定パラメータ取得手段１３２２によって取得された取得画像の指定パラメータに基づいて、展開メモリ１３２１上に読込んだプリント指定ファイルのデータを解析して、プリント対象となる画像データを特定する。プリント画像ファイル名設定手段１２３１は、特定手段１３２３により特定されたプリント対象のプリント画像ファイル名を取得し、プリント実行パラメータにプリント画像ファイル名を設定する。日付データ設定手段１２３２は、特定手段１３２３により特定されたプリント対象画像に関して、プリント対象となる画像ファイルの日付データが取得できる場合には、その日付データを取得し、それが取得できない場合には日付データにNull（＝０）をセットして、プリント実行パラメータにプリント日付データを設定する。プリント部数データ設定手段１２３３は、特定手段１３２３により特定されたプリント対象となる画像ファイルのプリント部数を取得し、プリント実行パラメータにプリント部数データを設定する。
【０１６０】
同様に、前述した図２０の画像再生モード操作手段１１３０、図２１のプリント指定操作手段１１４０、および図２２の画像加工操作手段１１５０におけるプリント指定ファイル解析手段１１２７において、プリント指定ファイル生成手段１１２５の代わりに一括プリント指定ファイル生成手段１３１０（図３９参照）を備え、かつプリント指定ファイル解析手段１１２７の代わりに一括プリント指定ファイル解析手段１３２０（図３９参照）を備える。図４２、図４３、および図４４は、そのように構成した画像再生モード操作手段１１３０、プリント指定操作手段１１４０、および画像加工操作手段１１５０の機能ブロックである。このように構成した場合、一括プリント指定ファイル生成手段１３１０は、それぞれの管理手段１１３１，１１４１，１１５１からの指示により一括してプリント指定ファイルを生成し、また一括プリント指定ファイル解析手段１３２０は、複数の画像を指定するプリント指定ファイルを解析してプリント処理の実行を促すことになる。
【０１６１】
図４５は、図３９の画像撮影モード操作手段１１２０の変形例を説明するための機能ブロック図である。
【０１６２】
本例の画像撮影モード操作手段１１２０は、画像撮影操作管理手段１１２１からのモード終了指示により、画像撮影モードの終了処理を行う画像撮影モード終了手段１３６０を備えている。そして、その終了処理の実行に伴い、一括プリント指定ファイル生成手段１３１０が一括してプリント指定ファイルを生成する。
【０１６３】
同様に、前述した図２０の画像再生モード操作手段１１３０においては、画像再生操作管理手段１１３１からのモード終了指示により画像再生モードの終了処理を行う画像再生モード終了手段を備え、また図２１のプリント指定操作手段１１４０においては、プリント指定操作管理手段１１４１からのプリント指定操作の終了指示によりプリント指定操作の終了処理を行うプリント指定操作終了手段を備え、また図２２の画像加工操作手段１１５０においては、画像加工操作管理手段１１５１の画像加工操作の終了指示による画像加工操作の終了処理を行う画像加工操作終了手段を備えてもよい。これらの場合、それらの終了手段による終了処理の実行に伴ない、一括プリント指定ファイル生成手段１３１０が一括してプリント指定ファイルを生成することになる。
【０１６４】
さらに、このように画像撮影モード終了手段１３６０、画像再生モード終了手段、プリント指定操作終了手段、画像加工操作終了手段を備えた場合には、それらの終了手段が終了処理を実行する際に、プリント指定ファイルの生成を強制的に実行するか否かの確認をするためのプリント指定ファイル強制生成確認手段を備えてもよい。
【０１６５】
この確認手段に関しては、プリント指定ファイルの生成を強制的に実行するか否かを、あらかじめ登録しておき、この登録された内容にもとづき、プリント指定ファイルの生成を行ってもよいし、実行のタイミングで、その都度、確認を行うようにしてもよい。
【０１６６】
図４６は、前述した図４０の一括プリント指定ファイル生成手段１３１０の機能と、図４１の一括プリント指定ファイル解析手段１３２０の機能と、を併せ持つプリント指定データ登録メモリ管理手段１３７０の構成例を説明するための機能ブロック図である。
【０１６７】
本例の管理手段１３７０は、一括プリント指定ファイル生成手段１３１０と一括プリント指定ファイル解析手段１３２０とを組み合わせた基本構成において、プリント指定ファイルの読込み手段１２３４（図４１参照）に代えてプリント指定ファイル一括読込み手段１３７１を備え、かつプリント指定ファイルの書込み手段１１２５（図４０参照）に代えてプリント指定ファイル一括書込み手段１３７２を備えている。プリント指定ファイル一括読込み手段１３７１は、格納メディアに格納されているプリント指定ファイルをプリントデータ登録メモリ１３１１に一括して読込む。プリント指定ファイル一括書込み手段１３７２は、プリントデータ登録メモリ１３１１に登録されているプリント指定ファイルを一括して格納メディアに書込む。このように構成されたプリント指定データ登録メモリ管理手段１３７０は、プリント指定データ登録メモリ１３１１を介して、処理を実行する。
【０１６８】
図４７、図４８、図４９、および図５０は、図３９の画像撮影モード操作手段１１２０、図４２の画像再生モード操作手段１１３０、図４３のプリント指定操作手段１１４０、および図４４の画像加工操作手段１１５０のそれぞれに、このような図４６のプリント指定データ登録メモリ管理手段１３７０を備えた場合の構成例を説明するための機能ブロック図である。
【０１６９】
本例における操作手段１１２０，１１３０，１１４０，１１５０のそれぞれには、プリント指定データ登録メモリ管理手段１３７０と共に、初期化手段（画像撮影モード初期化手段１３７１、画像再生モード初期化手段１３７２、プリント指定モード初期化手段１３７３、画像加工モード初期化手段１３７４）と、前述したプリント指定ファイル強制生成確認手段と、終了手段（画像撮影モード終了手段１３６１、画像再生モード終了手段１３６２、プリント指定モード終了手段１３６３、画像加工モード終了手段１３６４）が備えられている。それぞれの初期化手段１３７１，１３７２，１３７３，１３７４は、前述した図１６の操作モード切替え手段１１００によって、対応する操作手段１１２０，１１３０，１１４０，１１５０への切替えが行われた時点において、一括生成されたプリント指定ファイルをプリント指定データ登録メモリ１３１１に呼び出す。また、それぞれの終了手段１３６１．１３６２，１３６３，１３６４は、プリント指定データ登録メモリ３１１に登録されているプリント指定データをプリント指定ファイルとして一括して生成するプリント指定ファイル生成手段を備えている。このような本例の構成により、操作モードが切替えられても、生成されているプリント指定ファイルに基づいてプリント指定の更新が可能となる。また、プリント指定データ登録メモリ１３１１を介したプリント処理が可能となる。さらに、操作モードの切替えおよび終了時に、プリント指定データ登録メモリ１３１１に登録されている内容に基づいて、プリント指定ファイルの生成が可能となる。
【０１７０】
次に、本実施形態の作用について説明する。以下の説明において用いるフローチャートには、処理内容と処理手段とを対応付けるために、処理内容と共に、それを実行する代表的な手段の符号を付している。
【０１７１】
本実施形態においては、プリント指定を連続的に行い、その結果を一括してプリント指定ファイルとして生成し、それを連続してプリントすることができる。
【０１７２】
図５１は、前述した第１の実施形態における図２２の画像撮影モード操作処理（ステップＳ３０）を本実施形態に適応した場合の処理例を説明するためのフローチャートである。
【０１７３】
本実施形態における画像撮影モード操作処理に関しては、前述した第１の実施形態における図２５と相違する部分について説明する。図５１の画像撮影モード操作処理においては、プリント部数が指定される毎にプリント部数指定処理（ステップＳ３８）を行い、その後、プリント指定データをプリント指定データ登録メモリ１３１１に登録する処理（ステップＳ３９Ａ）を行う。その後、プリント実行指示がなされた時点において、その登録メモリ１３１１に登録されているプリント指定データを一括してプリント指定ファイルに書込む処理（ステップＳ４０Ａ）を行う。その後、その書込まれたプリント指定ファイルの内容に基づき、一括してプリント処理（ステップＳ４１Ａ）を実行する。このようにして、連続的なプリント処理を行う。
【０１７４】
図５２は、図５１中におけるプリント指定ファイル一括書込み処理（ステップＳ４０Ａ）を説明するためのフローチャートである。
【０１７５】
本例のプリント指定ファイル一括書込み処理においては、まず、プリント指定データ登録メモリ１３１１に登録されているプリント指定データの取得処理（ステップＳ３１１）を行い、その取得したプリント指定データをプリント指定ファイルに書込む（ステップＳ３１２）。このようなステップＳ３１１，Ｓ３１２の処理は、登録メモリ１３１１に登録されているプリント指定データの分の処理が終了するまで繰り返す（ステップＳ３１３）。
【０１７６】
図５３は、図５１中における一括プリント実行処理（ステップＳ４１Ａ）を説明するためのフローチャートである。
【０１７７】
本例の一括プリント実行処理においては、まず、プリント指定ファイルの読込み処理（ステップＳ３２１）を行い、そのプリント指定ファイルを解析して、プリントパラメータを作成する。そして、その作成されたプリントパラメータに基づいてプリント処理（ステップＳ３２３）を行う。このようなステップＳ３２１、Ｓ３２２の一連の処理は、プリント指定ファイルに書込まれているプリント指定データの分だけ、繰り返し実行する（ステップＳ３２３）。
【０１７８】
このように、図５１の画像撮影モード操作処理において、図５２および図５３の処理を実行することにより、プリント指定を連続的に行い、その結果を一括してプリント指定ファイルとして生成してから、それを連続してプリントすることができる。同様に、前述した図２６の画像再生モード操作処理、図２７のプリント指定操作処理、および図２８の画像加工操作処理において、図５２および図５３の処理を実行することにより、プリント指定を連続的に行い、その結果を一括してプリント指定ファイルとして生成してから、それを連続してプリントすることができる。
【０１７９】
以上のように、本実施形態においては、カメラもしくはカメラをコントロールする機器において、複数の任意の画像に対して、プリント対象となる画像の指定とプリント部数の指定ができる。また、プリント指示がなされた時点においては、任意の指定された画像を指定されたプリント部数分、一括してプリントすることができる。これにより、従来技術にはなかった操作性の向上を図ることができる。
【０１８０】
また、本実施形態において連続的に行われたプリント指定の結果は、操作モードの終了時、もしくは電源ＯＦＦによる終了時に、一括してプリント指定ファイルとして生成することができる。
【０１８１】
そのためには、図５４の操作モード終了処理を実行すればよい。この操作モード終了処理は、例えば、図５１の画像撮影モード操作処理、図２６の画像再生モード操作処理、図２７のプリント指定操作処理、および図２８の画像加工操作処理のそれぞれの終了処理（ステップＳ３４，Ｓ４３，Ｓ５４，Ｓ６３，Ｓ７４，Ｓ８３，Ｓ９４，Ｓ１０３）において、実施することができる。
【０１８２】
この図５４の操作モードの終了処理においては、まず、プリント指定データ登録メモリ１３１１中に、新たにプリント指定データが追加登録されたかどうかの判別（ステップＳ３３１）を行う。追加登録されたことが判別された場合には、プリント指定ファイルを強制生成するか否かを確認する（ステップＳ３３２）。プリント指定ファイルを強制生成することが確認された場合には、前述した図５２のプリント指定ファイルの一括書込み処理を実行し（ステップＳ３３３）、プリント指定データ登録メモリ１３１１中のプリント指定データを一括してプリント指定ファイルとして書込む。また、電源ＯＦＦ操作時の終了処理においても同様の処理を実行することにより、一括してプリント指定ファイルを生成することができる。
【０１８３】
したがって、このような処理を実行することにより、カメラもしくはカメラをコントロールする機器において、各操作モードの終了に際してプリント指定の登録だけがなされ、まだプリント指定ファイルに書込まれていない場合には、プリント指定ファイルを書込むかどうかの確認をした後に、プリント指定ファイルの書込みができる。これにより、従来技術にはなかった操作性の向上を図ることができる。
【０１８４】
また、本実施形態においては、操作モードの切替え時に、すでに作成されているプリント指定ファイルの内容を反映させて、それに追加するようにプリント指定を連続的に行うことにより、プリント指定ファイルを生成することなく連続してプリントを実行することができる。
【０１８５】
そのためには、図５５の画像撮影モード操作処理を実行すればよい。図５５の画像撮影モード操作処理においては、まず、モードが切替えられた時点にて、初期化処理（ステップＳ３１Ａ）により、すでに作成されているプリント指定ファイルを読込む。そして、プリント部数の指定が行われる毎に、プリント部数指定処理（ステップＳ３８）を行う。その後、プリント指定データをプリント指定データ登録メモリ１３１１に登録する処理（ステップＳ３９Ａ）を行う。そして、プリント実行指示がなされた時点にて、その登録メモリ１３１１に登録されているプリント指定データの内容に基づいて、一括してプリント処理（ステップＳ４１Ｂ）を実行させることにより、連続的なプリント処理を行う。
【０１８６】
図５６は、図５５における初期化処理（ステップＳ３１Ａ）を説明するためのフローチャートである。この初期化処理においては、まず、実行すべき操作モードに必要な初期化処理（ステップＳ３４１）を行い、その後、すでに作成されているプリント指定ファイルを一括してプリント指定データ登録メモリ１３１１に読込む処理（ステップＳ３４２）を行う。これにより、すでに作成されているプリント指定ファイルを反映させて、新たにプリント指定データを追加することができる。
【０１８７】
図５７は、図５５中の一括プリント実行処理（ステップＳ４１Ｂ）を説明するためのフローチャートである。この一括プリント実行処理においては、まず、登録メモリ１３１１を参照し、その登録メモリ１３１１中の全てのプリント指定データを解析（ステップＳ３５１）して、プリントパラメータを取出す。これにより、プリント指定ファイルを生成させることなく、一括してプリント処理（ステップＳ３５２）が実行できる。このようなステップＳ３５１、Ｓ３５２の一連の処理は、プリント指定データの分だけ、繰り返し実行する（ステップＳ３５３）。
【０１８８】
図５８は、図５７中のプリント指定データ解析処理（ステップＳ３５１）を説明するためのフローチャートである。
【０１８９】
本例のプリント指定データ解析処理においては、まず、プリント指定データの読込み処理（ステップＳ３６１）により、プリント指定ファイル中のプリント指定データを読込み、プリント画像ファイル名の取得処理（ステップＳ３６２）、日付データの取得処理（ステップＳ３６３）、および日付データの判定処理（ステップＳ３６４）が実行される。日付データがプリント指定データ中に存在しない場合には、日付データのデフォルトデータとして、Null（＝０）データを設定する処理（ステップＳ３６５）が行われる。その後、プリント部数データの取得処理（ステップＳ３６６）を行ってから、プリントパラメータ生成処理（ステップＳ３６７）により、それぞれ取得されたファイル名、日付データ、およびプリント部数をプリントパラメータとして生成する。
【０１９０】
このように、図５５の画像撮影モード操作処理において、図５６、図５７、および図５８の処理を実行することにより、モードの切替え時に、すでに作成されているプリント指定ファイルの内容を反映させ、これに追加する形式でプリント指定を連続的に行うことができる。この結果、プリント指定ファイルを生成することなく、連続してプリントをすることができる。前述した図２６の画像再生モード操作処理、図２７のプリント指定操作処理、および図２８の画像加工操作処理において、図５６および図５８の処理を実行した場合も同様である。
【０１９１】
したがって、このような処理を実行することにより、カメラもしくはカメラをコントロールする機器において、各操作モードの切替え時に、書込まれているプリント指定ファイルを登録メモリに読込み、そのプリント指定ファイルに指定内容を登録することができる。この結果、すでに存在するプリント指定ファイルに基づいてプリント指定の更新ができ、更新した内容に関しては、登録メモリを参照することにより一括したプリントもできる。これにより、従来技術にはなかった操作性の向上を図ることができる。
【０１９２】
（第４の実施形態）
図５９は、本実施形態における設定モード操作手段１１１０の機能ブロック図であり、前述した第１の実施形態における図１７の設定モード操作手段１１１０に、プリント指定ファイル書込み設定手段１４００を備えた構成となっている。このプリント指定ファイル書込み設定手段１４００は、設定項目として、プリント指定ファイルの書込みをするか否かを設定するためのものである。
【０１９３】
図６０は、前述した第２の実施形態における図３０中のプリント指定ファイル書込み手段１２２５を本実施形態に適応させた場合の構成例を説明するための機能ブロック図である。
【０１９４】
本例のプリント指定ファイル書込み手段１２２５において、１４１０はプリント指定ファイル書込み設定判別手段であり、図５９の設定モード操作手段１１１０により設定されかつ設定値管理メモリ１１１４に記憶されたプリント指定ファイル書込み設定項目の設定内容を参照し、その設定内容から、プリント指定ファイルの書込みをするか否かを判別する。１４１１は格納メディア書込み手段であり、判別手段１４１０によりプリント指定ファイルの“書込みする”と判別された場合に、格納メディアにプリント指定ファイルを書込む。１４１２は内部メモリエリア書込み手段であり、判別手段１４１０によりプリント指定ファイルの“書込みしない”と判別された場合に、格納メディアにではなくシステムの内部メモリにプリント指定ファイルを書込む。この内部メディア書込み手段１４１２は、格納メディアにはプリント指定ファイルを生成しない。
【０１９５】
図６１は、前述した第２の実施形態における図３１中のプリント指定ファイル読込み手段１２３４を本実施形態に適応させた場合の構成例を説明するための機能ブロック図である。
【０１９６】
本例のプリント指定ファイル読込み手段１２３４において、１４１０は上述したプリント指定ファイル書込み設定判別手段であり、図５９の設定モード操作手段１１１０により設定されかつ設定値管理メモリ１１１４に記憶されたプリント指定ファイル書込み設定項目の設定内容を参照し、その設定内容から、プリント指定ファイルの書込みをするか否かを判別する。１４２１は格納メディア読込み手段であり、判別手段１４１０によりプリント指定ファイルの“書込みする”と判別された場合に、前述した図６０中の格納メディア書込み手段１４１１により格納メディアに書込まれたプリント指定ファイルを読込む。１４２２は内部メモリエリア読込み手段であり、判別手段１４１０によりプリント指定ファイルの“書込みしない”と判別された場合に、前述した図６０中の内部メモリエリア書込み手段１４１２によりシステムの内部メモリに書込まれたプリント指定ファイルを読込む。
【０１９７】
図６２は、本実施形態における設定モード操作手段１１１０の他の構成例を説明するための機能ブロック図である。本例の操作手段１１１０は、前述した第１の実施形態における図１７の設定モード操作手段１１１０に、プリント指定ファイルのデータ形式設定項目指定手段１４３０を備えた構成となっている。この設定手段１４３０は、設定項目として、標準１／標準２／独自のいずれかのプリン値指定ファイルのデータ形式を設定するためのものである。
【０１９８】
図６３は、図６２の設定モード操作手段１１１０の構成に適応すべく、前述した第２の実施形態における図３０中のプリント指定ファイル書込み手段１２２５を構成した場合の機能ブロック図である。
【０１９９】
本例のプリント指定ファイル書込み手段１２２５において、１４４１はプリント指定ファイル書込み形式設定判別手段であり、上述した図６２の設定モード操作手段１１１０により設定されかつ設定値管理メモリ１１１４に記憶されているプリント指定ファイル書込み形式設定項目の設定内容を参照し、その設定項目から、プリント指定ファイルデータ形式が標準１／標準２／独自のいずれであるかを判別する。１４４２は標準プリント指定データ生成手段であり、判別手段１４４１により書込み形式が“標準１”もしくは“標準２”と判定された場合に、ＤＰＯＦ（Digital Print Order Format）のような標準プリント指定ファイルの形式によってプリント指定データを作成する。１４４３は標準プリント指定データ作成手段であり、生成手段１４４２のデータ作成に際し、“標準１”に対応する標準仕様として定義されている形式により、プリント指定データを作成する。１４４４は例外プリント指定データ作成手段であり、生成手段１４４２のデータ作成に際し、“標準２”に対応する標準仕様として定義されている例外データ形式の組み込み仕様（Vender Uniqueな記述方式）に基づいて、例外的なプリント指定データの内容を標準プリント指定ファイル形式により作成する。１４４５は独自プリント指定データ生成手段であり、判別手段１４４１により書込み形式が“独自”と判定された場合に、標準プリント指定ファイルの形式ではなく、独自のプリント指定ファイル形式によりプリント指定ファイルを作成する。
【０２００】
図６４は、図６２の設定モード操作手段１１１０の構成に適応すべく、前述した第２の実施形態における図３１中のプリント指定ファイル読込み手段１２３４を構成した場合の機能ブロック図である。
【０２０１】
本例のプリント指定ファイル読込み手段１２３４において、１４５１は、プリント指定データの形式種別を判別するプリント指定データ形式判別手段である。１４５２は標準プリント指定ファイル読込み手段であり、判別手段１４５１によりプリント指定データの形式が標準プリント指定ファイルであると判別された場合に、そのプリント指定データを標準プリント指定ファイルとして読込む。標準プリント指定データ取得手段１４５３は、標準プリント指定データをプリント指定データ格納手段１４５６に取り込み、例外プリント指定データ取得手段１４５４は、標準プリント指定フィルの中の例外データを独自データとして、プリント指定データ格納手段１４５６に取り込む。１４５５は独自プリント指定データ読込み手段であり、判別手段１４５１により、プリント指定データが独自プリント指定ファイルであると判明された場合には、そのファイル中のデータをそのままプリント指定データ格納手段１４５６に取り込む。
【０２０２】
次に、本実施形態の作用について説明する。以下の説明において用いるフローチャートには、処理内容と処理手段とを対応付けるために、処理内容と共に、それを実行する代表的な手段の符号を付している。
【０２０３】
図６５は、前述した第１の実施形態における図２４中の設定項目指定処理（ステップＳ１１０）を本実施形態に適応させた場合の処理例を説明するためのフローチャートである。本実施形態においては、プリント指定ファイルの書込み“あり”および“なし”の指定に応じて、プリント指定ファイルの書込みおよび読込み処理をする。
【０２０４】
本実施形態の設定モード操作処理における設定項目指定処理は、まず、入力された設定項目移動キーの判別処理（ステップＳＳ４１１）をする。入力キーが「前方設定項目移動キー」の場合には、前方設定項目指定処理（ステップＳ４１２）により、種々の設定項目の表示画面上にてカーソルを前方へ順次移動させ、そのカーソルによって設定項目を選択的に指定することによって、その設定項目に応じた処理をする。本例の場合は、プリント指定ファイル書込み設定項目が指定されたときに、それを設定すべき項目として指定処理（ステップＳ４１３）し、その他の設定項目が指定されたときには、それを設定すべき項目として指定処理（ステップＳ４１４）する。一方、入力キーが「後方設定項目移動キー」の場合には、後方設定項目指定処理（ステップＳ４１５）により、種々の設定項目の表示画面上にてカーソルを後方へ順次移動させ、そのカーソルによって設定項目を選択的に指定することによって、その設置項目に応じた処理を実行する。本例の場合は、プリント指定ファイル書込み設定項目が指定されたときに、それを設定すべき項目として指定処理（ステップＳ４１６）し、その他の設定項目が指定されたときには、それを設定すべき項目として指定処理（ステップＳ４１７）する。
【０２０５】
図６６は、前述した第１の実施形態における図２４中の設定内容指定処理（ステップＳ１３０）を本実施形態に適応させた場合の処理例を説明するためのフローチャートである。
【０２０６】
上述した図６５の設定項目指定処理によりプリント指定ファイル書込み設定項目が設定された場合には、この図６６の設定内容指定処理により、プリント指定ファイル書込みの“あり”または“なし”の指定をする。すなわち、まず、入力された設定内容移動キーの判別処理（ステップＳ４２１）をし、入力キーが「前方設定内容移動キー」の場合には、前方設定内容指定処理（ステップＳ４２２）により、種々の設定内容の表示画面上にてカーソルを前方へ順次移動させる。そして、カーソルによって“あり”の表示部分を指定したときには、プリント指定ファイル書込み“あり”の指定処理（ステップＳ４２３）をして、その指定内容を設定内容管理メモリに記憶させ、また、カーソルによって“なし”の表示部分を指定したときには、プリント指定ファイル書込み“なし”の指定処理（ステップＳ４２４）をして、その指定内容を設定内容管理メモリに記憶させる。一方、入力キーが「後方設定内容移動キー」の場合には、後方設定内容指定処理（ステップＳ４２５）により、種々の設定内容の表示画面上にてカーソルを前方へ順次移動させる。そして、カーソルによって“あり”の表示部分を指定したときには、プリント指定ファイル書込み“あり”の指定処理（ステップＳ４２６）をして、その指定内容を設定内容管理メモリに記憶させ、また、カーソルによって“なし”の表示部分を指定したときには、プリント指定ファイル書込み“なし”の指定処理（ステップＳ４２７）をして、その指定内容を設定内容管理メモリに記憶させる。
【０２０７】
図６７は、前述した第２の実施形態における図３５中のプリント指定データ書込み処理（ステップＳ２１６）を本実施形態に適応させた場合の処理例を説明するためのフローチャートである。
【０２０８】
本例のプリント指定データ書込み処理においては、図６６の指定処理の指定内容に基づいて、書込み設定判別処理（ステップＳ４３１）により、図６６の指定処理にての指定内容、つまりプリント指定ファイル書込み“あり”または“なし”を判別する。プリント指定ファイルの書込み“あり”と判定された場合には、格納メディア書込み処理（ステップＳ４３２）により、プリント指定ファイルを格納メディアへ書込む。一方、プリント指定ファイルの書込み“なし”と判定された場合には、内部メモリ書込み処理（ステップＳ４３３）により、プリント指定ファイルを内部メモリへ書込む。
【０２０９】
図６８は、前述した第２の実施形態における図３６中のプリント指定データ読込み処理（ステップＳ２２１）を本実施形態に適応させた場合の処理例を説明するためのフローチャートである。
【０２１０】
本例のプリント指定データ読込み処理においては、まず、書込み設定判別処理（ステップＳ４４１）により、設定内容管理メモリを参照して、その設定内容からプリント指定ファイル書込みの“あり”または“なし”を判別する。プリント指定ファイルの書込み“あり”の場合には、格納メディア読込み処理（ステップＳ４４２）により、格納メディアに書込まれているプリント指定ファイルを読込む。一方、プリント指定ファイルの書込み“なし”の場合には、内部メモリ読込み処理（ステップＳ４４３）により、内部メモリに書込まれているプリント指定ファイルを読込む。
【０２１１】
図６９から図７２は、前述したように、標準１／標準２／独自のいずれかのプリント指定ファイルのデータ形式を設定可能に構成した場合の作用を説明するためのフローチャートである。
【０２１２】
図６９は、前述した第１の実施形態における図２４中の設定項目指定処理（ステップＳ１１０）を本例に適応させた場合の処理例を説明するためのフローチャートである。
【０２１３】
本実施形態の設定モード操作処理における設定項目指定処理は、まず、入力された設定項目移動キーの判別処理（ステップＳ４５１）をする。入力キーが「前方設定項目移動キー」の場合には、前方設定項目指定処理（ステップＳ４５２）により、種々の設定項目の表示画面上にてカーソルを前方へ順次移動させ、そのカーソルによって設定項目を選択的に指定することによって、その設定項目に応じた処理をする。本例の場合は、プリント指定ファイルのデータ形式設定項目が指定されたときに、それを設定すべき項目として指定処理（ステップＳ４５３）し、その他の設定項目が指定されたときには、それを設定すべき項目として指定処理（ステップＳ４５４）する。一方、入力キーが「後方設定項目移動キー」の場合には、後方設定項目指定処理（ステップＳ４５５）により、種々の設定項目の表示画面上にてカーソルを後方へ順次移動させ、そのカーソルによって設定項目を選択的に指定することによって、その設置項目に応じた処理を実行する。本例の場合は、プリント指定ファイルのデータ形式設定項目が指定されたときに、それを設定すべき項目として指定処理（ステップＳ４５６）し、その他の設定項目が指定されたときには、それを設定すべき項目として指定処理（ステップＳ４５７）する。
【０２１４】
図７０は、前述した第１の実施形態における図２４中の設定内容指定処理（ステップＳ１３０）を本例に適応させた場合の処理例を説明するためのフローチャートである。
【０２１５】
上述した図６９の設定項目指定処理によりプリント指定ファイルのデータ形式設定項目が設定された場合には、この図７０の設定内容指定処理により、プリント指定ファイルのデータ形式の“標準１”／“標準２”／“独自”を指定する。すなわち、まず、入力された設定内容移動キーの判別処理（ステップＳ４６１）をし、入力キーが「前方設定内容移動キー」の場合には、前方設定内容指定処理（ステップＳ４６２）により、種々の設定内容の表示画面上にてカーソルを前方へ順次移動させる。そして、カーソルによって“標準１”の表示部分が指定されたときには、データ形式“標準１”の指定処理（ステップＳ４６３）をして、その指定内容を設定内容管理メモリに記憶し、またカーソルによって“標準２”の表示部分が指定されたときには、データ形式“標準２”の指定処理（ステップＳ４６４）をして、その指定内容を設定内容管理メモリに記憶させ、またカーソルによって“独自”の表示部分が指定されたときには、データ形式“独自”の指定処理（ステップＳ４６５）をして、その指定内容を設定内容管理メモリに記憶する。一方、入力キーが「後方設定内容移動キー」の場合には、後方設定内容指定処理（ステップＳ４６６）により、種々の設定内容の表示画面上にてカーソルを前方へ順次移動させる。そして、カーソルによって“標準１”の表示部分が指定されたときには、データ形式“標準１”の指定処理（ステップＳ４６７）をして、その指定内容を設定内容管理メモリに記憶し、またカーソルによって“標準２”の表示部分が指定されたときには、データ形式“標準２”の指定処理（ステップＳ４６８）をして、その指定内容を設定内容管理メモリに記憶させ、またカーソルによって“独自”の表示部分が指定されたときには、データ形式“独自”の指定処理（ステップＳ４６９）をして、その指定内容を設定内容管理メモリに記憶する。
【０２１６】
図７１は、前述した第２の実施形態における図３５中のプリント指定データ生成処理（ステップＳ２１５）を本例に適応させた場合の処理例を説明するためのフローチャートである。
【０２１７】
本例のプリント指定データ生成処理においては、まず、データ形式設定判別処理（ステップＳ４７１）により、プリント指定ファイルのデータ形式が標準（“標準１”、“標準２”）または“独自”いずれであるかを判別する。データ形式が標準（“標準１”または“標準２”）の場合には、標準データ生成処理（ステップＳ４７２）により、プリント指定ファイルのヘッダ部などの情報に関する標準プリント指定データをデータ形式により生成する。さらに、データ形式が“標準１”または“標準２” のいずれであるかを判別し（ステップＳ４７３）、データ形式が“標準１”の場合には、標準データ作成処理（ステップＳ４７４）により標準データを作成し、データ形式が“標準２”の場合には、例外データ作成処理（ステップＳ４７５）により、前述したように、例外データ形式の記述方式に基づいてプリント指定データを作成する。また、データ形式が“独自”の場合には、独自データ生成処理（ステップＳ４７６）により、前述したように、独自の形式によりプリント指定データを生成する。このようにして生成されたプリント指定データは、前述した図３５中のプリント指定データ書込み処理（ステップＳ２１６）により、プリント指定ファイルとしてファイル化される。
【０２１８】
図７２は、前述した第２の実施形態における図３６中のプリント指定データ読込み処理（ステップＳ２２１）を本例に適応させた場合の処理例を説明するためのフローチャートである。
【０２１９】
本例のプリント指定データ読込み処理においては、まず、データ形式設定判別処理（ステップＳ４８１）により、プリント指定ファイルのデータ形式が標準（“標準１”、“標準２”）または“独自”いずれであるかを判別する。データ形式が標準（“標準１”または“標準２”）の場合には、標準データ読込み処理（ステップＳ４８２）により、標準データとしてプリント指定データを読込む。さらに、データ形式が“標準１”または“標準２” のいずれであるかを判別し（ステップＳ４８３）、データ形式が“標準１”の場合には、標準データ取得処理（ステップＳ４８４）により標準データを取得し、データ形式が“標準２”の場合には、例外データ取得処理（ステップＳ４８５）により例外データを取得する。また、データ形式が“独自”の場合には、独自データ読込み処理（ステップＳ４８６）により、前述したように、独自形式によりプリント指定データを読込む。
【０２２０】
以上のように、本実施形態の場合は、カメラもしくはカメラをコントロールする機器において、操作モードの設定に関連してプリント指定ファイルの作成を行うことができる。さらには、作成するプリント指定ファイルとして、ＤＰＯＦ（Digital Print Order Format）のような標準プリント指定ファイルの作成も可能となる。したがって、本実施形態における機器だけでなく、他の機器で取扱われる標準プリント指定ファイルとの互換性を保ちつつ、プリント処理を実行することができる。これにより、従来技術にはなかった操作性の向上を図ることができる。
【０２２１】
（第５の実施形態）
図７３は、前述した第１の実施形態における図１８の画像撮影モード操作手段１１２０を本実施形態に適応させた場合の構成例を説明するための機能ブロック図である。
【０２２２】
本実施形態における画像撮影モード操作手段は、前述した第１の実施形態における図１８の画像撮影モード操作手段に対して、プリント部数指定解除手段１５００を備えている。そのプリント部数指定解除手段１５００は、画像撮影操作管理手段１１２１により撮影指示がなされ、かつプリント部数指定状態となっていた場合に、そのプリント部数指定状態を解除するためのものである。また、画像撮影手段１１２２は、その解除手段１５００によるプリント部数指定状態の解除後に、画像の撮影処理を行う。また、プリント部数指定手段１１２４は、管理手段１１２１により格納メディアに画像が格納された後に、自動的にプリント部数指定状態とし、その操作管理手段１１２１によりプリント部数指定指示がなされた場合に、格納された撮影画像に対してプリント部数の指定を行う。
【０２２３】
図７４は、前述した第１の実施形態における図２５の画像撮影モード操作処理（ステップＳ３０）を本実施形態に適応させた場合の処理例を説明するためのフローチャートである。このフローチャートには、処理内容と処理手段とを対応付けるために、処理内容と共に、それを実行する代表的な手段の符号を付している。
【０２２４】
本実施形態においては、前述した第１の実施形態における図２５の画像撮影モード操作処理に対して、プリント部数指定モードの解除処理（ステップＳ５０１）と、プリント部数指定モードの設定処理（ステップＳ５０２）が加えられている。そして、本実施形態においては、撮影処理の終了後、自動的にプリント部数指定モードとなってプリント部数の指定を可能とし、次の撮影処理の開始動作によって、プリント部数の指定モードを自動的に解除することになる。すなわち、シャッターキーが入力されたときに、プリント部数指定モードの解除処理（ステップＳ５０１）によりプリント部数指定モードを解除した後、画像撮影処理（ステップＳ３６）と撮影画像格納処理（ステップＳ３７）を行ってから、プリント部数指定モードの設定処理（ステップＳ５０２）を行う。
【０２２５】
また、シャッターキーの半押し／全押しを検知する構成を採用した場合には、シャッターキーが半押しされたときに、プリント部数指定モードの解除処理（ステップＳ５０１）を行い、またシャッターキーが全押しされたときに、画像撮影処理（ステップＳ３６）と撮影画像格納処理（ステップＳ３７）とプリント部数指定モードの設定処理（ステップＳ５０２）を行うように、図７４のフローチャートを一部変更することもできる。これにより、シャッターキーの半押しにより、プリント部数指定モードを解除することができる。
【０２２６】
以上のように、本実施形態の場合には、カメラもしくはカメラをコントロールする機器において、撮影実行後、直ちにプリント部数指定モードとなってプリント部数の指定が可能となり、次の撮影動作の実行によりプリント部数指定モードを解除することにより、撮影動作と関連的にプリント動作を実行することができる。これにより、従来技術にはなかった操作性の向上を図ることができる。
【０２２７】
（第６の実施形態）
図７５は、前述した第１の実施形態における図２０の画像再生モード操作手段１１３０を本実施形態に適応させた場合の構成例を説明するための機能ブロック図である。
【０２２８】
本例の画像再生モード操作手段１１３０において、画像再生操作管理手段１１３１は、画像の再生処理に関する操作を管理する。画像再生手段１６１０は、操作管理手段１１３１により再生指示がなされた場合に、画像のシングル再生もしくはマルチ再生の再生処理を行う。撮影画像管理手段１１２３は、再生指示のなされた画像を格納メディアから読込む。プリント部数指定手段１６２０は、操作管理手段１１３１によりプリント部数の指定指示がなされた場合に、画像の再生状態に応じて、記録された撮影画像に対してプリント部数の指定を行う。プリント指定ファイル生成手段１６３０は、指定手段１６２０によってプリント部数が指定された場合に、画像の再生状態に基づき、対象となる撮影画像とプリント部数をプリント対象画像として指定するためのプリント指定ファイルを生成する。プリント指定ファイル解析手段１６４０は、操作管理手段１１３１によってプリント実行の指示がなされた場合に、プリント指定ファイルにおける指定内容を解析し、複数種のプリント処理を可能とするようなプリントパラメータを生成する。画像プリント手段１６５０は、解析手段１６４０により得られたプリントパラメータに基づいて、複数種のプリント処理の実行する。
【０２２９】
図７６は、図７５中の画像再生手段１６１０を説明するための機能ブロック図である。本例の画像再生手段１６１０において、画像再生情報管理メモリ１６１１は画像の再生状態を記録管理するために用いられ、再生モード振分け手段１６１２は、管理メモリ１６１１を参照して、画像の再生モードをシングル再生モードまたはマルチ再生モードに振り分ける。撮影画像シングル再生手段１６１３は、振分け手段１６１２により再生モードがシングル再生モードに振り分けられた場合に、１コマ分の画像をシングル再生する。撮影画像マルチ再生手段１６１４は、振分け手段１６１２により再生モードがマルチ再生モードに振り分けられた場合に、複数コマ分の画像をマルチ再生する。再生モード切替え手段１６１５は、図７５中の画像再生操作管理手段１１３１により再生モードの切替え指示がなされた場合に、画像の再生モードを切替え、管理メモリ１６１１の管理情報を更新して、画像の再生処理を行う。
【０２３０】
図７７は、図７５中のプリント部数指定手段１６２０を説明するための機能ブロック図である。本例のプリント部数指定手段１６２０において、プリント部数指定モード振分け手段１６２１は、画像再生情報管理メモリ１６１１を参照して、プリント部数指定モードを、シングル再生画像またはマルチ再生画像のプリント部数の指定モードに振り分ける。シングル再生画像プリント部数指定手段１６２２は、振分け手段１６２１がシングル再生モードを検知して、プリント部数指定モードがシングル再生画像のプリント部数の指定モードに振り分けられた場合に、再生中のシングル画像に対してプリント部数の指定を行う。マルチ再生画像プリント部数手段１６２３は、振分け手段１６２１がマルチ再生モードを検知して、プリント部数指定モードがマルチ再生画像のプリント部数の指定モードに振り分けられた場合に、再生中のマルチ画像全体に対してプリント部数の指定を行う。
【０２３１】
図７８は、図７５中のプリント指定ファイル生成手段１６３０を説明するための機能ブロック図である。本例のプリント指定ファイル生成手段１６３０において、プリント画像ファイル名取得手段１２２１は、プリント指定の対象とされた撮影画像をプリント対象画像として、そのファイル名の取得を行う。日付プリント設定判別手段１２２２は、前述した設定モード操作手段１１１０により設定されて設定値管理メモリ１１１４に記憶されている日付プリント設定項目の設定内容を参照して、日付けプリント設定内容の判別を行う。日付データ取得手段１２２３は、判別手段１２２２により日付情報の取得が必要と判別された場合に、撮影画像の撮影日付をプリント日付データとして取得する。プリント部数データ取得手段１２２４は、設定されたプリント部数をプリント部数データとして取得する。プリント指定データ生成手段１６３１は、画像の再生状態に応じて、各取得データをプリント指定データとして生成する。プリント指定ファイル書込み手段１２２５は、生成手段１６３１により生成されたプリント指定データをプリント指定ファイルとして格納メディアに格納する。
【０２３２】
図７９は、図７８中のプリント指定データ生成手段１６３１を説明するための機能ブロック図である。本例のプリント指定データ生成手段１６３１において、プリント指定モード振分け手段１６３１Ａは、画像再生情報管理メモリ１６１１を参照して、プリント指定モードを振り分ける。シングルコマプリント指定手段６３１Ｂは、振分け手段１６３１Ａがシングル再生モードを検知して、プリント指定モードがシングル再生画像のプリント指定モードに振り分けられた場合に、再生中のシングル画像に対するプリントの種別として、１コマ分のシングルコマプリントを指定する。また、マルチコマプリント指定手段６３１Ｃは、振分け手段１６３１Ａがマルチ再生モードを検知して、プリント指定モードがマルチ再生画像のプリント指定モードに振り分けられた場合に、再生中のマルチ画像全体に対するプリントの種別として、複数コマ分のマルチコマプリントを指定する。
【０２３３】
図８０は、図７５中のプリント指定ファイル解析手段１６４０を説明するための機能ブロック図である。本例のプリント指定ファイル解析手段１６４０において、プリント指定ファイル読込み手段１２３４は、格納メディアに格納されているプリント指定ファイルを読込む。プリント指定データ解析手段１２３０は、その読込まれたプリント指定ファイルのデータを解析する。プリント形式データ設定手段１６４１は、図７９のプリント指定データ生成手段１６３１により指定されたプリント種別を解析手段１２３０から取得し、プリント種別として１コマプリントが指定されていた場合には、プリント対象となる画像をシングルコマプリントするための情報として、紙面上（被プリント媒体上のプリント面）における画像の配置情報をプリント実行パラメータのプリント形式データとして設定する。また、設定手段１６４１は、プリント種別としてマルチコマプリントが指定されていた場合には、プリント対象となる複数の画像をマルチコマプリントするための情報として、紙面上における画像の配置情報をプリント実行パラメータのプリント形式データとして設定する。プリント画像ファイル名設定手段１２３１は、解析手段１２３０から、プリント対象となるプリント画像ファイル名を取得し、プリント実行パラメータにおけるプリント画像ファイル名を設定する。プリント画像ファイル名テーブル設定手段１６４２は、解析手段１２３０によってプリント対象となる画像ファイルの日付データが取得できる場合に、その日付データを取得し、それが取得できない場合には、日付データにNull（＝０）をセットする。さらに、この設定手段１６４２は、プリント実行パラメータとしてのプリント日付データを設定する日付データ設定手段１２３２を用いて、マルチコマプリントにも対応すべく、プリント対象となる画像のファイル名の一覧を日付データと共に１コマ分以上のファイル名テーブルとして設定する。プリント部数データ設定手段１２３３は、解析手段１２３０からプリント対象となる画像ファイルのプリント部数を取得し、プリント実行パラメータとしてプリント部数データを設定する。
【０２３４】
図８１は、図７５中の画像プリント手段１６５０を説明するための機能ブロック図である。本例の画像プリント手段１６５０において、プリント実行パラメータ格納手段１６５１には、画像プリント実行時のパラメータが設定される。プリント形式データ解析手段１６５２は、そのパラメータに設定されたプリント形式データを解析し、紙面上における画像の展開エリアを指定する。プリント画像ファイル名取得手段１６５３は、パラメータに設定されているプリント画像ファイル名テーブルの中から、プリント画像ファイルのファイル名と日付データを取得する。プリント画像展開手段１６５４は、取得手段１６５３により取得されたプリント画像ファイル名に基づいて、図７５中の撮影画像管理手段１１２３からプリント画像ファイルを読込み、その読込まれた画像をプリント形式データ解析手段１６５２により指定された画像展開エリアに展開する。日付データ合成手段１６５５は、取得手段１６５３により取得した日付データにNull（＝０）以外の日付データが設定されている場合には、その日付データをプリント形式データ解析手段１６５２により指定された画像展開エリアに合成する。展開された画像、および日付データが合成された展開画像は、画像データプリント手段１６５６によってプリントされる。プリント部数繰り返し手段１６５７は、プリント実行パラメータに設定されているプリント部数を取得し、取得したプリント部数分のプリント処理を繰り返す。
【０２３５】
また、そのプリント部数繰り返し手段１６５７は、プリント実行パラメータに指定されたプリント部数分のプリント処理を繰り返すために、プリント画像ファイル名取得手段１６５３、プリント画像展開手段１６５４、日付プリントデータ合成手段１６５５、および画像データプリント手段１６５６のそれぞれによる処理を、指定されたプリント部数分だけ繰り返し実行させる構成であってもよい。
【０２３６】
次に、本実施形態の作用について説明する。以下の説明において用いるフローチャートには、処理内容と処理手段とを対応付けるために、処理内容と共に、それを実行する代表的な手段の符号を付している。
【０２３７】
図８２は、前述した第１の実施形態における図２６中の画像再生処理（ステップＳ５６）を本例に適応させた場合の処理例を説明するためのフローチャートである。
【０２３８】
本実施形態の場合は、撮影画像の再生モードとして、シングル再生とマルチ再生の２つの再生モードを設け、シングル再生時のプリントとしてシングルコマプリントを行い、マルチ再生時のプリントとしてマルチコマプリントを行う。すなわち、図８２の画像再生処理において、まず、キーの判別処理（ステップＳ６０１）を行い、入力キーがシングル再生の切替えキーの場合にはシングル再生処理（ステップＳ６０２）を行ってから、再生モードの設定をシングル再生モードに設定する（ステップＳ６０３）。また、入力キーがマルチ再生の切替えキーの場合には、マルチ再生処理（ステップＳ６０４）を行ってから、再生モードの設定をマルチ再生モードに設定する（ステップＳ６０５）。入力キーが再生画像の切替えキーの場合には、画像切替え再生処理（ステップＳ６０６）により、切替え設定された再生モードにより画像の再生を行う。
【０２３９】
図８３は、前述した第１の実施形態における図２５、図２６、図２７、および図２８中のプリント部数指定処理（ステップＳ３８，Ｓ５８，Ｓ７８，Ｓ９８）を本例に適応させた場合の処理例を説明するためのフローチャートである。本例のプリント部数指定処理においては、設定された再生モードを判別し（ステップＳ６１１）、シングル再生モードが設定された場合にはシングル再生プリント部数指定処理（ステップＳ６１２）を行い、またマルチ再生モードが設定された場合にはマルチ再生プリント部数の指定処理（ステップＳ６１３）を行う。
【０２４０】
図８４は、前述した第２の実施形態における図３５中のプリント指定データ生成処理（ステップＳ２１５）を本例に適応させた場合の処理例を説明するためのフローチャートである。本例のプリント指定データ生成処理においては、再生モードの判別処理（ステップＳ６２１）を行い、シングル再生モードであることが判別されたときは、シングルコマプリント指定データの生成処理（ステップＳ６２２）を行い、またマルチ再生モードであることが判別されたときは、マルチコマプリント指定データの生成処理（ステップＳ６２３）を行う。これにより、マルチコマのプリント指定にも対応したプリント指定データを生成し、そのデータをプリント指定ファイルとして、ファイルの生成を行う。シングルコマプリント指定データの生成処理（ステップＳ６３２）においては、プリント種別のシングルコマプリントを指定するために、1枚のプリント用紙ごとにプリント対象となる1つの画像のファイル名と、日付情報と、プリント部数情報と、に合わせたプリント指定データを生成する。また、マルチコマプリント指定データの生成処理（ステップＳ６３３）においては、プリント種別のマルチコマプリントを指定するために、1枚のプリント用紙ごとにプリント対象となる複数の画像ファイル名と、日付情報と、プリント部数情報と、に合わせたプリント指定データを生成する。
【０２４１】
図８５は、前述した第２の実施形態における図３６のプリント指定ファイル読込み処理を本実施形態に適応させた場合の処理例を説明するためのフローチャートである。
【０２４２】
本実施形態のプリント指定データの読込み処理においては、まず、プリント指定ファイル中のプリント指定データを読込み（ステップＳ２２１）、その後、プリントレイアウト形式取得処理（ステップＳ６３１）において、プリント指定データに記述されたプリント種別に基づいて、プリントレイアウト形式を取得する。その後、プリント指定データに記述されたプリント画像ファイル名と日付データを取得（ステップＳ２２２，Ｓ２２３）してから、日付データの判定処理（ステップＳ２２４）、日付データのデフォルト設定処理（ステップＳ２２５）を実行する。その後、プリント画像ファイル名テーブルの作成処理（ステップＳ６３２）を行い、指定されている分だけプリント画像ファイル名と日付データの取得と、プリント画像ファイル名テーブルの作成と、を繰り返す（ステップＳ６３３）。その後、プリント指定データに記述されているプリント部数データを取得し（ステップＳ２２６）、その取得情報に基づいて、プリントパラメータ生成処理（ステップＳ２２７）によりプリント実行パラメータを生成する。
【０２４３】
また、プリントレイアウト形式を取得する処理（ステップＳ６３１）において、プリント種別にシングルコマプリント指定がなされていた場合には、プリントレイアウト形式として、シングルコマをプリントするための配置レイアウト情報を取得し、それをプリントパラメータ取得処理における取得情報とする。また、プリント種別にマルチコマプリント指定が指定されていた場合には、プリントレイアウト形式として、マルチコマをプリントするための配置レイアウト情報を取得し、それをプリントパラメータ取得処理における取得情報とする。
【０２４４】
図８６および図８７は、前述した第２の実施形態における図３７および図３８のプリント実行処理を本実施形態に適応させた場合の処理例を説明するためのフローチャートである。
【０２４５】
図８６および図８７のプリント実行処理においては、まず、プリントパラメータの解析処理（ステップＳ２３１）が行われ、その後、プリントレイアウト形式解析処理（ステップＳ６４１）により、プリントパラメータ中のプリントレイアウト形式に対する画像データの配置情報が解析される。そして以降において、プリント画像ファイル名テーブルに登録された画像ファイルの展開およびプリント処理を実行する。
【０２４６】
以上のように、本実施形態の場合には、カメラもしくはカメラをコントロールする機器において、撮影した画像の再生状態に応じたプリントを実行することができる。すなわち、画像がシングル再生されている場合には、再生されたコマの１コマ（シングル）プリントを実行し、また画像がマルチ再生されている場合には、再生されている複数コマのマルチプリントを実行することができる。これにより、従来技術にはなかった操作性の向上を図ることができる。
【０２４７】
（第７の実施形態）
図８８は、前述した第１の実施形態における図２０の画像再生モード操作手段１１３０を本実施形態に適応させた場合の構成例を説明するための機能ブロック図である。
【０２４８】
本例の画像再生モード操作手段１１３０において、画像再生操作管理手段１１３１は、画像の再生処理に関する操作を管理する。画像再生手段１７１０は、操作管理手段１１３１により再生指示がなされた場合に、画像の標準再生もしくは拡大再生の再生処理を行って、画像の部分再生エリアを指定する。撮影画像管理手段１１２３は、再生指示のなされた画像を格納メディアから読込む。プリント部数指定手段１１２４は、操作管理手段１１３１によりプリント部数指定指示がなされた場合に、記録された撮影画像に対してプリント部数の指定を行う。プリント指定ファイル生成手段１７２０は、指定手段１１２４によりプリント部数が指定された場合に、対象となる撮影画像、画像の部分再生エリア、およびプリント部数をプリント対象画像として指定するためのプリント指定ファイルを生成する。プリント指定ファイル解析手段１７３０は、操作管理手段１１３１によりプリント実行指示がなされた場合に、プリント指定ファイル生成手段１７２０により生成されたプリント指定ファイルの指定内容に基づき、そのプリント指定ファイルの指定内容を解析し、画像の部分再生エリアに対するプリント処理を可能とするプリントパラメータを生成する。画像プリント手段１７４０は、解析手段１７３０により得られたプリントパラメータに基づいて、画像の部分再生エリアのプリント処理を実行する。
【０２４９】
図８９は、図８８中の画像再生手段１７１０を説明するための機能ブロック図である。
【０２５０】
本例の画像再生手段７１０において、拡大再生情報管理メモリ１７１１は、画像の再生状態と拡大再生時の部分エリアを記録管理する。拡大再生モード振分け手段１７１２は、管理メモリ１７１１を参照して、画像の再生モードを振り分ける。撮影画像標準再生手段１７１３は、振分け手段１７１２により再生状態が標準再生状態にあると検知されて、再生モードが標準再生モードに振り分けられた場合に、画像全体を画面に再生する。撮影画像拡大再生手段１７１４は、振分け手段１７１２により再生状態が拡大再生状態にあると検知されて、再生モードが拡大再生モードに振り分けられた場合に、画像の任意の部分エリアを画面に再生する。拡大再生画像部分エリア移動手段１７１５は、画像再生操作管理手段１１３１により拡大再生モード時の部分エリア移動指示がなされた場合に、拡大再生画像の部分エリアを移動させて、管理メモリ１７１１を更新する。再生モード切替え手段１７１６は、画像再生操作管理手段１１３１により拡大再生モードの切替え指示がなされた場合に、画像の再生モードを切替え、管理メモリ１７１１を更新して、画像の再生処理を行う。
【０２５１】
図９０は、図８８中のプリント指定ファイル生成手段１７２０を説明するための機能ブロック図である。
【０２５２】
本例のプリント指定ファイル生成手段１７２０において、プリント画像ファイル名取得手段１２２１は、プリント指定の対象とされた撮影画像をプリント対象画像として、そのファイル名の取得を行う。日付プリント設定判別手段１２２２は、設定モード操作手段１１１０（図１６参照）により設定されて、設定値管理メモリ１１１４に記憶されている日付プリント設定項目の設定内容を参照し、その日付けプリント設定内容の判別を行う。日付データ取得手段１２２３は、判別手段１２２２により日付情報の取得が必要と判別された場合に、撮影画像の撮影日付をプリント日付データとして取得する。プリント部数データ取得手段１２２４は、設定されたプリント部数をプリント部数データとして取得する。クリッピング領域取得手段１７２１は、画像の再生状態に応じて、拡大再生時の部分エリアをプリント画像のクリッピング領域として取得する。プリント指定データ生成手段１７２２は、上記の各取得データをプリント指定データとして生成する。プリント指定ファイル書込み手段１２２５は、生成手段１７２２により生成されたプリント指定データをプリント指定ファイルとして格納メディアに格納する。
【０２５３】
図９１は、図９０中のクリッピング領域取得手段１７２１を説明するための機能ブロック図である。本例のクリッピング領域取得手段１７２１においては、拡大再生情報管理メモリ１７１１を参照し、拡大再生モードの場合には、拡大再生画像部分エリア取得手段１７２１Ａにより、管理メモリ１７１１中の拡大再生時の部分エリアをプリント画像のクリッピング領域として取得する。
【０２５４】
図９２は、図８８中のプリント指定ファイル解析手段１７３０を説明するための機能ブロック図である。
【０２５５】
本例のプリント指定ファイル解析手段１７３０において、プリント指定ファイル読込み手段１２３４は、格納メディアに格納されているプリント指定ファイルを読込む。プリント指定データ解析手段１２３０は、読込んだプリント指定ファイルのデータを解析する。クリッピング領域設定手段１７３１は、解析手段１２３０から、プリント指定データ生成手段１７２０（図９０参照）により指定された拡大再生画像部分エリアを取得し、取得した部分エリアを画像プリント時のクリッピング領域としてプリント実行パラメータに設定する。プリント画像ファイル名設定手段１２３１は、解析手段１２３０からプリント対象となるプリント画像ファイル名を取得して、プリント実行パラメータにプリント画像ファイル名を設定する。日付データ設定手段１２３２は、解析手段１２３０からプリント対象となる画像ファイルの日付データが取得できる場合に、その日付データを取得し、また、それが取得できない場合には日付データにNull（＝０）をセットして、プリント実行パラメータにプリント日付データを設定する。プリント部数データ設定手段１２３３は、解析手段１２３０からプリント対象となる画像ファイルのプリント部数を取得し、プリント実行パラメータにプリント部数データを設定する。
【０２５６】
また、クリッピング領域設定手段１７３１は、プリント指定データに拡大再生画像部分エリアが登録されていて、その拡大再生画像部分エリアの取得が可能な場合には、上記のように、取得した拡大再生画像部分エリアをクリッピング領域として指定を行う。さらに、この設定手段１７３１は、プリント指定データに拡大再生画像の部分エリアが登録されていない場合には、画像領域全体をクリッピング領域としてデフォルト指定する機能をも有する。
【０２５７】
図９３は、図８８中の画像プリント手段１７４０を説明するための機能ブロック図である。
【０２５８】
本例の画像プリント手段７４０において、プリント実行パラメータ格納手段１７４１は、プリント実行時のパラメータを設定する。クリッピング領域解析手段１７４２は、そのパラメータとして設定されたクリッピング領域を解析し、指定されたクリッピング領域のみの画像を展開するように、クリッピング領域を指定してプリント画像展開手段７４３に指示する。プリント画像展開手段１７４３は、パラメータとして設定されているプリント画像ファイル名に基づいて、撮影画像管理手段１１２３（図８８参照）からプリント画像ファイルを読込み、この読込んだ画像に関して、クリッピング領域解析手段１７４２により指定されたクリッピング領域のみの展開を行う。日付データ合成手段１７４４は、プリントパラメータとして指定された日付データに、Null（＝０）以外の日付データが設定されている場合に、その日付データを画像展開手段１７４３により展開された画像に合成する。画像データプリント手段１７４５は、そのような展開画像、および合成された展開画像をプリントする。プリント部数繰り返し手段１２４４は、プリントパラメータに設定されているプリント部数を取得し、取得されたプリント部数分のプリント処理を繰り返す。
【０２５９】
また、プリント部数繰り返し手段１２４４においては、プリント実行パラメータに指定されたプリント部数分のプリント処理を繰り返すために、クリッピング領域解析手段１７４２、プリント画像展開手段１７４３、日付プリントデータ合成手段１７４４、および画像データプリント手段１７４５による処理を指定されたプリント部数分繰り返し実行させるものであってもよい。
【０２６０】
次に、本実施形態の作用について説明する。以下の説明において用いるフローチャートには、処理内容と処理手段とを対応付けるために、処理内容と共に、それを実行する代表的な手段の符号を付している。
【０２６１】
本実施形態においては、撮影画像の再生モードとして標準再生と拡大再生の２つの再生モードを設け、標準再生時に画像の全エリアをプリントし、拡大再生時に画像の任意の部分エリアを拡大してプリントする。
【０２６２】
図９４は、前述した第１の実施形態における図２６中の画像再生処理（ステップＳ５６）を本例に適応させた場合の処理例を説明するためのフローチャートである。
【０２６３】
本例の画像再生処理においては、まず、入力キーの判別処理（ステップＳ７０１）を行い、入力キーが標準再生切替えキーの場合には、標準の再生処理（ステップＳ７０２）を行い、再生モードの設定を標準再生モードに設定し（ステップＳ７０３）、部分再生エリア情報のクリア（ステップＳ７０４）を行う。また、入力キーが拡大再生の切替えキーの場合には、拡大再生の処理（ステップＳ７０５）を行い、再生モードの設定を拡大再生モードに設定し（ステップＳ７０６）、部分再生エリア情報の設定を行う（ステップＳ７０７）。また、入力キーが部分再生エリアの移動キーの場合には、部分再生エリアの移動処理（ステップＳ７０８）を行い、その移動量に関して部分再生エリア情報を更新する処理（ステップＳ７０９）を行う。また、入力キーが再生画像の切替えキーの場合には、画像切替え再生処理（ステップＳ７１０）により、切替え設定された再生モード、および設定された部分再生エリア情報に基づいて、画像の再生を行う。
【０２６４】
図９５は、前述した第２の実施形態における図３５のプリント指定ファイル書込み処理を本実施形態に適応させた場合の処理例を説明するためのフローチャートである。本例のプリント指定ファイル書込み処理においては、設定された部分再生エリア情報に基づいて、画像のクリッピング領域を取得するクリッピング領域取得処理（ステップＳ７２１）を行う。そして、プリント指定データ生成処理（ステップＳ２１５）において、この取得されたクリッピング領域に関する情報をプリント指定データに反映させ、プリント指定ファイル書込み処理（ステップＳ２１６）において、このプリント指定データに基づいてプリント指定ファイルの作成処理を行う。
【０２６５】
図９６は、前述した第２の実施形態における図３６のプリント指定ファイル読込み処理を本実施形態に適応させた場合の処理例を説明するためのフローチャートである。本例のプリント指定データの読込み処理においては、プリント指定ファイル中のプリント指定データを読込み（ステップＳ２２１）、クリッピング領域取得処理（ステップＳ７２２）により、上述した図９５のプリント指定フィル書込み処理により書込まれたクリッピング領域に関する情報を取得する。そして、この取得したクリッピング領域に関する情報も含めて、プリントパラメータ生成処理（ステップＳ２２７）により、プリント実行パラメータを生成する。
【０２６６】
図９７および図９８は、前述した第２の実施形態における図３７および図３８のプリント実行処理を本実施形態に適応させた場合の処理例を説明するためのフローチャートである。本例のプリント実行処理においては、プリントパラメータを解析し（ステップＳ２３１）、プリント画像データ部分プリント展開処理（ステップＳ２３２Ａ）により、プリントパラメータ中の指定されたクリッピング領域のみの画像展開を行う。
【０２６７】
以上のように、本実施形態の場合には、カメラもしくはカメラをコントロールする機器において、撮影した画像の再生状態に応じたプリントを実行することができる。すなわち、標準再生されている場合には、再生されたコマの全エリアプリントを実行し、また拡大再生されている場合には、拡大再生された任意の部分エリアプリントを実行することができる。これにより、従来技術にはなかった操作性の向上を図ることができる。
【０２６８】
（第８の実施形態）
図９９は、前述した第１の実施形態における図２２の画像加工操作手段１１５０を本実施形態に適応させた場合の構成例を説明するための機能ブロック図である。
【０２６９】
本例の画像加工操作手段１１５０において、画像加工操作管理手段１１３５は、画像の加工処理に関する操作を管理する。画像加工手段１８１０は、操作管理手段１１３１により加工再生指示がなされた場合に、画像の加工情報に基づいて加工再生処理を行う。撮影画像管理手段１１２３は、再生指示のなされた画像を格納メディアから読込む。プリント部数指定手段１１２４は、操作管理手段１１３１によりプリント部数指定の指示がなされた場合に、加工再生された撮影画像に対してプリント部数の指定を行う。プリント指定ファイル生成手段１８２０は、指定手段１１２４によりプリント部数が指定された場合に、対象となる撮影画像、画像の加工情報、およびプリント部数をプリント対象画像として指定するためのプリント指定ファイルを生成する。プリント指定ファイル解析手段１８３０は、操作管理手段１１３１によりプリント実行指示がなされた場合に、プリント指定ファイル生成手段１８２０により生成されたプリント指定ファイルの指定内容を解析し、指定された加工情報に基づくプリント処理を可能とするようなプリントパラメータを生成する。画像プリント手段１８４０は、解析手段１８３０から得られたプリントパラメータに基づいて、加工処理のなされた画像に対するプリント処理を実行する。
【０２７０】
図１００は、図９９中の画像加工手段１８１０を説明するための機能ブロック図である。本例の画像加工手段１８１０において、画像加工情報管理メモリ１８１１は、画像に付加するテンプレート情報、画像を回転させる回転情報、および画像の加工対象となる部分エリアを記録管理する。加工再生モード振分け手段１８１２は、管理メモリ１８１１を参照して、画像の加工再生モードを振り分ける。加工画像標準再生手段１８１３は、画像に付加するテンプレートが指定されていないために、振分け手段１８１２が加工画像標準再生モードに振り分けた場合に、画像全体を画面に再生する。加工画像部分再生手段１８１４は、画像に付加するテンプレートが指定されているために、振分け手段１８１２が加工画像部分再生モードに振り分けた場合に、画像の任意の部分エリアをテンプレートに重ねて画面に再生する。部分再生画像部分エリア移動手段１８１５は、加工画像部分再生モード時に、画像再生操作管理手段１１３１（図２０参照）により部分エリアの移動指示がなされた場合に、加工再生画像の部分エリアを移動させて、管理メモリ１８１１の情報を更新する。テンプレート指定手段１８１６は、画像再生操作管理手段１１３１（図２０参照）により、付加するテンプレートの切替え指定の指示がなされた場合に、画像に付加するテンプレートの切替え指定を行い、指定されたテンプレートの情報を管理メモリ１８１１に登録変更して、画像の加工状態の情報を更新する。文字入力手段１８１９は、切替えられたテンプレートに文字入力エリアがある場合、そのエリアに当てはまる文字を入力させ、入力された文字情報を管理メモリ１８１１に登録変更し、画像の加工状態の情報を更新する。加工対象画像回転手段１８１７は、画像再生操作管理手段１１３１（図２０参照）により、加工対象となる画像の回転指示がなされた場合に、画像の回転情報を管理メモリ１８１１に設定変更して、画像の加工状態の情報を更新する。加工対象画像指定手段１８１８は、画像再生操作管理手段１１３１（図２０参照）により、加工対象となる画像の切替え指示がなされた場合に、加工対象となる画像の切替え指定を行い、加工対象となる画像を切替えて、画像の加工状態の情報を更新する。
【０２７１】
図１０１は、図９９中のプリント指定ファイル生成手段１８２０を説明するための機能ブロック図である。
【０２７２】
本例のプリント指定ファイル生成手段１８２０において、プリント画像ファイル名取得手段１２２１は、プリント指定の対象とされた加工画像をプリント対象画像として、そのファイル名の取得を行う。日付プリント設定判別手段１２２２は、設定モード操作手段１１１０（図１６参照）により設定されて設定値管理メモリ１１１４に記憶されている日付プリント設定項目を参照し、その日付けプリント設定の内容を判別する。日付データ取得手段１２２３は、判別手段１２２２により日付情報の取得が必要と判別された場合に、撮影画像の撮影日付をプリント日付データとして取得する。プリント部数データ取得手段１２２４は、設定されたプリント部数をプリント部数データとして取得する。画像加工情報取得手段１８２１は、管理メモリ1811に記録された画像の加工状態に応じて、画像の回転指定や、トリミング位置の指定や、入力すべき文字情報等の画像加工情報を取得する。プリント指定データ生成手段１８２２は、上記の各取得データをプリント指定データとして生成する。プリント指定ファイル書込み手段１２２５は、生成手段１８２２により生成されたプリント指定データをプリント指定ファイルとして格納メディアに格納する。
【０２７３】
図１０２は、図１０１中の画像加工情報取得手段１８２１を説明するための機能ブロック図である。本例の画像加工情報取得手段１８２１において、テンプレート情報取得手段１８２１Ａは、画像加工情報管理メモリ１８１１を参照し、付加するテンプレート情報が登録されている場合には、そのテンプレート情報を収得し、さらに、そのテンプレート情報に付随した文字情報が登録されている場合には、その登録されている文字情報をも取得する。加工画像回転情報取得手段１８２１Ｂは、管理メモリ１８１１を参照し、画像の回転情報が設定されている場合には、その回転情報を取得する。部分再生画像部分エリア取得手段１８２１Ｃは、管理メモリ１８１１を参照し、部分再生時の部分エリア情報をプリント画像のクリッピング領域情報として取得する。
【０２７４】
図１０３は、図９９中のプリント指定ファイル解析手段１８３０を説明するための機能ブロック図である。本例のプリント指定ファイル解析手段１８３０において、プリント指定ファイル読込み手段１２３４は、格納メディアに格納されているプリント指定ファイルを読込む。プリント指定データ解析手段１２３０は、読込まれたプリント指定ファイルのデータを解析する。画像加工情報設定手段１８３１は、図１０１のプリント指定データ生成手段１８２０により指定された各種画像加工情報を解析手段１２３０から取得し、取得した加工情報を画像プリント時の画像加工情報としてプリント実行パラメータに設定する。プリント画像ファイル名設定手段１２３１は、解析手段１２３０からプリント対象となるプリント画像ファイル名を取得し、プリント実行パラメータにプリント画像ファイル名を設定する。日付データ設定手段１２３２は、解析手段２３０からプリント対象となる画像ファイルの日付データが取得できる場合には、その日付データを取得し、また、それが取得できない場合には日付データにNull（＝０）をセットして、プリント実行パラメータにプリント日付データを設定する。プリント部数データ設定手段１２３３は、解析手段１２３０からプリント対象となる画像ファイルのプリント部数を取得し、プリント実行パラメータにプリント部数データを設定する。また、画像加工情報設定手段１８３１は、プリント指定データに、取得できる画像加工情報が指定されていない場合には、取得できない加工情報に対してデフォルト値を設定する機能をも有する。
【０２７５】
図１０４は、図９９中の画像プリント手段１８４０を説明するための機能ブロック図である。本例の画像プリント手段８４０において、プリント実行パラメータ設定手段１８４１は、プリント実行時のパラメータとしてプリント実行パラメータを設定する。画像加工情報解析手段１８４２は、パラメータに設定された画像加工情報を解析し、そして設定された加工情報に応じた加工画像の展開が行われるように、プリント画像展開手段８４３に画像の加工指示を行う。プリント画像展開手段１８４３は、パラメータに設定されているプリント画像ファイル名に基づいて、図９９中の撮影画像管理手段１１２３によりプリント画像ファイルを読込み、この読込んだ画像を、画像加工情報解析手段１８４２により指定された加工指示に基づいて加工展開する。日付データ合成手段１８４４は、プリントパラメータに指定された日付データにNull（＝０）以外の日付データが設定されている場合に、その日付データを画像展開手段１８４３により展開された画像に合成する。画像データプリント手段１８４５は、展開された画像、さらに合成された画像をプリントする。プリント部数繰り返し手段１２４４は、プリントパラメータに設定されているプリント部数を取得し、その取得したプリント部数分のプリント処理を繰り返す。
【０２７６】
また、そのプリント部数繰り返し手段１２４４は、プリント実行パラメータに指定されたプリント部数分のプリント処理を繰り返す際に、画像加工情報解析手段１８４２、プリント画像展開手段１８４３、日付プリントデータ合成手段１８４４、および画像データプリント手段１８４５による処理を指定されたプリント部数分繰り返すことによって、同様のプリント処理を実行することもできる。
【０２７７】
次に、本実施形態の作用について説明する。以下の説明において用いるフローチャートには、処理内容と処理手段とを対応付けるために、処理内容と共に、それを実行する代表的な手段の符号を付している。
【０２７８】
本実施形態においては、撮影画像の加工に際して、画像に合成するテンプレートの切替え、画像の回転、テンプレートに合成される撮影画像を部分的にクリッピングする等の処理を施すことができる。そして、このような加工処理を施した画像をプリントすることができる。
【０２７９】
図１０５は、前述した第１の実施形態における図２８中の画像加工処理（ステップＳ９６）を本例に適応させた場合の処理例を説明するためのフローチャートである。
【０２８０】
本例の画像加工処理においては、まず、入力キーの判別処理（ステップＳ８０１）を行う。そして、入力キーがテンプレートの切替えキーの場合には、テンプレートの切替え処理（ステップＳ８０３）を行い、加工再生モードを設定する（ステップＳ８０４）。合成されるテンプレートによって撮影画像がかぶってしまう場合には、加工再生モードとして部分再生モードを設定し、テンプレートの重ねをしない場合およびテンプレートが撮影画像にかぶらない場合には、加工再生モードとして標準再生モードを設定する。その後、テンプレートの切替えによるテンプレート情報を画像加工情報として設定する（ステップＳ８０４）。また、このステップＳ８０４において、文字入力指示キーが入力された場合には、テンプレートに設定された文字入力エリアに当てはまる文字の入力を行い、入力された文字情報を画像加工情報として設定する。なお、文字入力指示キーは、テンプレートに文字入力エリアがない場合には、無効となる。また、入力キーが画像の回転キーの場合には、画像を回転させる加工画像回転処理（ステップＳ８０５）を行い、画像の回転に伴う回転情報を画像加工情報として設定する（ステップＳ８０６）。また、入力キーが部分再生エリアの移動キーの場合には、部分再生モードにおいて部分的に再生される画像の部分エリアを移動させるための加工再生部分エリア移動処理（ステップＳ８０７）を行い、その部分エリアの移動に伴う移動情報を画像加工情報として設定する（ステップＳ８０８）。また、入力キーが加工画像の切替えキーの場合には、加工画像切替え再生処理（ステップＳ８０９）により、加工画像を切替える。その後、加工再生モードを判別し（ステップＳ８１０）、加工再生モードが標準再生モードの場合には、加工画像標準再生処理（ステップＳ８１１）により、加工対象となる撮影画像の全エリアを再生する。また、加工再生モードが部分再生モードの場合には、加工画像部分再生処理（ステップＳ８１２）により、加工対象となる撮影画像の部分エリアを再生する。
【０２８１】
図１０６は、前述した第２の実施形態における図３５のプリント指定ファイル書込み処理を本実施形態に適応させた場合の処理例を説明するためのフローチャートである。本例のプリント指定ファイル書込み処理においては、画像加工情報取得処理（ステップＳ８２１）により、前述した加工処理により設定された画像加工情報を取得する。そして、プリント指定データ生成処理（ステップＳ２１５）において、その取得した画像加工情報をプリント指定データに反映させ、プリント指定ファイル書込み処理（ステップＳ２１６）において、このプリント指定データに基づいてプリント指定ファイルの作成処理を行う。
【０２８２】
図１０７は、前述した第２の実施形態における図３６のプリント指定ファイル読込み処理を本実施形態に適応させた場合の処理例を説明するためのフローチャートである。本例のプリント指定データの読込み処理においては、プリント指定ファイル中のプリント指定データを読込み（ステップＳ２２１）、画像加工情報取得処理（ステップＳ８２２）により、上述した図１０６のプリント指定フィル書込み処理により書込まれた画像の加工情報を取得する。そして、この取得した画像加工情報に関する情報も含めて、プリントパラメータ生成処理（ステップＳ２２７）により、プリント実行パラメータを生成する。
【０２８３】
図１０８および図１０９は、前述した第２の実施形態における図３７および図３８のプリント実行処理を本実施形態に適応させた場合の処理例を説明するためのフローチャートである。本例のプリント実行処理においては、プリントパラメータを解析し（ステップＳ２３１）、プリント画像データ加工プリント展開処理（ステップＳ２３２Ｂ）により、プリントパラメータ中の指定された画像加工情報に基づいて画像展開を行う。
【０２８４】
以上のように、本実施形態の場合には、カメラもしくはカメラをコントロールする機器において、再生した画像の加工状態に応じたプリントを実行することができる。特に、テンプレートなどの重ねあわせの場合には、テンプレートに重ねあわせる再生画像の部分エリアを指定できるようにして、それぞれの加工状態に合わせたプリントを実行することができる。これにより、従来技術にはなかった操作性の向上を図ることができる。
【０２８５】
また、テンプレートに関しては、その格納先が、例えば、機器内のＲＯＭ上にあってもよいし、メモリカードを始めとするメモリカードによって提供されてもよいし、ネットワークを介してサーバー上から提供されてもよい。さらには、メディアパック内にセットされた用紙に合わせた形式によるテンプレートが、メディアパック内の不揮発性メモリに記憶されていて、この不揮発性のメモリから提供されてもよい。これにより、さらなる操作性の向上を図ることができる。
【０２８６】
（第９の実施形態）
図１１０は、前述した第１の実施形態における図１８の撮影画像管理手段１１２３を本実施形態に適応させた場合の構成例を説明するための機能ブロック図である。
【０２８７】
本例の撮影画像管理手段１１２３において、撮影画像取扱い振分け手段１９００は、取扱い指示に基づいて撮影画像の取扱いを振り分ける。撮影静止画像書込み手段１９１０は、静止画像の書込み指示により、撮影された静止画像を撮影画像格納メディア１９５０に書込む。撮影静止画像読込み手段１９２０は、静止画像の読込み指示により、撮影画像格納メディア９５０上の指定された静止画像ファイルを読込む。撮影動画像書込み手段１９３０は、動画像の書込み指示により、撮影された動画像を撮影画像格納メディア１９５０に書込む。撮影動画像読込み手段１９４０は、動画像中にある任意コマの読込み指示により、撮影画像格納メディア１９５０上の指定された動画像ファイルを読込み、その動画像ファイル上の指定されたコマを切り出して、それを静止画像として読込む。
【０２８８】
図１１１は、図１１０中の撮影動画読込み手段１９４０を説明するための機能ブロック図である。本例の撮影動画像読込み手段１９４０において、動画像読込み手段１９４１は、指定された動画像ファイルを読込む。静止画像切り出し手段１９４２は、読込んだ動画ファイルから。指定された任意のコマを切り出す。静止画像切り出しメモリ１９４３は、切り出し手段１９４２により切り出された静止画像を展開する。
【０２８９】
本実施形態の場合には、取扱い対象となる画像に対して、動画像ファイル名とファイル中の任意コマを指定することにより、動画像中の撮影画像に対しても同様のプリント処理が可能となる。すなわち、プリント対象となる撮影画像に対して、静止画像のファイル名ではなく、動画像のファイル名と動画像ファイル中の任意の切り出し対象となるコマ番号を用いることにより、プリント処理することができる。また、撮影画像の読込み処理において、動画像のファイル名とコマ番号により読込み命令が発行された場合に、動画像ファイル中の指定されたコマ番号にあたる画像を静止画像として切り出す処理を追加してもよい。これにより、動画像についても、静止画像と同様の処理を実行できることになる。
【０２９０】
以上のように、本実施形態の場合には、カメラもしくはカメラをコントロールする機器において、撮影された静止画像だけでなく、動画像に対しても、動画像上の特定のコマを静止画像として切り出すことにより、静止画像と同様に取扱うことができる。これにより、従来技術にはなかった操作性の向上を図ることができる。
【０２９１】
上記の実施形態の説明において、図６７のように、プリント指定ファイルをメモリーカードに書き込み、プリント時にはこれを読み出してプリントするとしたが、これに限るものではなく、プリント時までは、プリント設定情報を内部メモリに格納しておき、プリントモードの終了後に、例えばDPOFファイルとして画像とともにメモリーカードに保存する様にしておいてもよい。この場合には、実際のプリントの出来具合を確認してから、必要なプリント設定情報を保存しておくことも可能になる。
【０２９２】
また、撮影機能とプリント機能を併せ持つ、実施形態のような画像処理装置においては、撮影後にすぐに各種編集設定を行ったプリントを行うと、プリント後には編集情報はもはや必要でないものとして失い易いが、プリントモードが終了しても編集情報を記憶しておくことで、同じ設定をわざわざ繰り返さなくても、後で同じプリントを得たいという要求に答えることも出来る。
【０２９３】
また、DPOF対応プリンターにこのメモリーカードを挿入することによって、いつでもどこでも、自動的に同じプリントを得ることが出来る。
【０２９４】
特に、保存しておくプリント設定情報として、テンプレートの種類や、トリミングや回転、入力した文字情報等の編集情報を入れておくことで、改めて細かなプリント設定をする手間を省くことが出来る、
【０２９５】
【発明の効果】
以上説明したように、本発明は、画像情報をプリントさせるためのプリントモードを含む複数の動作モードを有する画像処理装置において、複数の動作モードにおける制御を相互に関連付けることにより、操作性を向上させることができる。
【図面の簡単な説明】
【図１】本発明を適用可能なプリンタ内蔵カメラの正面図である。
【図２】図１のカメラの斜め前方からの斜視図である。
【図３】図１のカメラの斜め後方からの斜視図である。
【図４】図１のカメラに装着可能なメディアパックの斜視図である。
【図５】図１のカメラの内部における主要構成部の配置関係を示す斜視図である。
【図６】図５におけるプリンタ部の斜視図である。
【図７】図６のプリンタ部の一部を取り外した斜視図である。
【図８】図６のプリンタ部におけるキャリッジの斜視図である。
【図９】図６のプリンタ部におけるプリント媒体搬送系の構成部分の斜視図である。
【図１０】図６のプリンタ部におけるインク供給系の構成部分の斜視図である。
【図１１】図１０のインク供給系の構成部分にメディアパックが装着されたときの平面図である。
【図１２】図１のカメラにおけるカメラ部とプリンタ部の概略ブロック構成図である。
【図１３】図１２のカメラ部における信号処理の説明図である。
【図１４】図１２のプリンタ部における信号処理の説明図である。
【図１５】図１２のブロック構成図をカメラ部主体に概略的に現したブロック構成図である。
【図１６】本発明の第１の実施形態における制御系の主要部を説明するための機能ブロック図である。
【図１７】図１６中の設定モード操作手段の機能ブロック図である。
【図１８】図１６中の画像撮影モード操作手段の機能ブロック図である。
【図１９】図１８中の撮影画像管理手段の機能ブロック図である。
【図２０】図１６中の画像再生モード操作手段の機能ブロック図である。
【図２１】図１６中のプリント指定操作手段の機能ブロック図である。
【図２２】図１６中の画像加工操作手段の機能ブロック図である。
【図２３】図１６の制御系の処理を説明するためのフローチャートである。
【図２４】図２３の設定モード操作処理を説明するためのフローチャートである。
【図２５】図２３の画像撮影モード操作処理を説明するためのフローチャートである。
【図２６】図２３の画像再生モード操作処理を説明するためのフローチャートである。
【図２７】図２３のプリント指定操作処理を説明するためのフローチャートである。
【図２８】図２３の画像加工操作処理を説明するためのフローチャートである。
【図２９】本発明の第２の実施形態における設定モード操作手段の機能ブロック図である。
【図３０】図１８中のプリント指定ファイル生成手段を本発明の第２の実施形態に適応させた場合の構成例を説明するための機能ブロック図である。
【図３１】図１８中のプリント指定ファイル解析手段を本発明の第２の実施形態に適応させた場合の構成例を説明するための機能ブロック図である。
【図３２】図１８中の画像プリント手段を本発明の第２の実施形態に適応させた場合の構成例を説明するための機能ブロック図である。
【図３３】図２４中の設定項目指定処理を本発明の第２の実施形態に適応させた場合の処理例を説明するためのフローチャートである。
【図３４】図２４中の設定内容指定処理を本発明の第２の実施形態に適応させた場合の処理例を説明するためのフローチャートである。
【図３５】図２５中のプリント指定ファイル書込み処理を本発明の第２の実施形態に適応させた場合の処理例を説明するためのフローチャートである。
【図３６】図２５中のプリント指定ファイル読込み処理を本発明の第２の実施形態に適応させた場合の処理例を説明するためのフローチャートである。
【図３７】図２５中のプリント実行処理を本発明の第２の実施形態に適応させた場合の処理例を説明するためのフローチャートである。
【図３８】図３７のプリント実行処理の変形例を説明するためのフローチャートである。
【図３９】図１８の画像撮影モード操作手段を本発明の第３の実施形態に適応させた場合の構成例を説明するための機能ブロック図である。
【図４０】図３９中の一括プリント指定ファイル生成手段の構成例を説明するための機能ブロック図である。
【図４１】図３９中の一括プリント指定ファイル解析手段の構成例を説明するための機能ブロック図である。
【図４２】本発明の第３の実施形態における画像再生モード操作手段の機能ブロックである。
【図４３】本発明の第３の実施形態におけるプリント指定操作手段の機能ブロックである。
【図４４】本発明の第３の実施形態における画像加工操作手段の機能ブロックである。
【図４５】図３９の画像撮影モード操作手段の変形例を説明するための機能ブロック図である。
【図４６】本発明の第３の実施形態におけるプリント指定データ登録メモリ管理手段の構成例を説明するための機能ブロック図である。
【図４７】本発明の第３の実施形態における画像撮影モード操作手段の構成例を説明するための機能ブロック図である。
【図４８】本発明の第３の実施形態における画像再生モード操作手段の構成例を説明するための機能ブロック図である。
【図４９】本発明の第３の実施形態におけるプリント指定操作手段の構成例を説明するための機能ブロック図である。
【図５０】本発明の第３の実施形態における画像加工操作手段の構成例を説明するための機能ブロック図である。
【図５１】図２２の画像撮影モード操作処理を本発明の第３の実施形態に適応した場合の処理例を説明するためのフローチャートである。
【図５２】図５１中におけるプリント指定ファイル一括書込み処理を説明するためのフローチャートである。
【図５３】図５１中における一括プリント実行処理を説明するためのフローチャートである。
【図５４】本発明の第３の実施形態における操作モード終了処理を説明するためのフローチャートである。
【図５５】本発明の第３の実施形態における画像撮影モード操作処理を説明するためのフローチャートである。
【図５６】図５５における初期化処理を説明するためのフローチャートである。
【図５７】図５５中の一括プリント実行処理を説明するためのフローチャートである。
【図５８】図５７中のプリント指定データ解析処理を説明するためのフローチャートである。
【図５９】本発明の第４の実施形態における設定モード操作手段の機能ブロック図である。
【図６０】図３０中のプリント指定ファイル書込み手段を本発明の第４の実施形態に適応させた場合の構成例を説明するための機能ブロック図である。
【図６１】図３１中のプリント指定ファイル読込み手段を本発明の第４の実施形態に適応させた場合の構成例を説明するための機能ブロック図である。
【図６２】本発明の第４の実施形態における設定モード操作手段の他の構成例を説明するための機能ブロック図である。
【図６３】図６２の設定モード操作手段の構成に適応すべく、図３０中のプリント指定ファイル書込み手段を構成した場合の機能ブロック図である。
【図６４】図６２の設定モード操作手段の構成に適応すべく、図３１中のプリント指定ファイル読込み手段を構成した場合の機能ブロック図である。
【図６５】図２４中の設定項目指定処理を本発明の第４の実施形態に適応させた場合の処理例を説明するためのフローチャートである。
【図６６】図２４中の設定内容指定処理を本発明の第４の実施形態に適応させた場合の処理例を説明するためのフローチャートである。
【図６７】図３５中のプリント指定データ書込み処理を本発明の第４の実施形態に適応させた場合の処理例を説明するためのフローチャートである。
【図６８】図３６中のプリント指定データ読込み処理を本発明の第４の実施形態に適応させた場合の処理例を説明するためのフローチャートである。
【図６９】図２４中の設定項目指定処理を本発明の第４の実施形態に適応させた場合の処理例を説明するためのフローチャートである。
【図７０】図２４中の設定内容指定処理を本発明の第４の実施形態に適応させた場合の処理例を説明するためのフローチャートである。
【図７１】図３５中のプリント指定データ生成処理を本発明の第４の実施形態に適応させた場合の処理例を説明するためのフローチャートである。
【図７２】図３６中のプリント指定データ読込み処理を本発明の第４の実施形態に適応させた場合の処理例を説明するためのフローチャートである。
【図７３】図１８の画像撮影モード操作手段を本発明の第５の実施形態に適応させた場合の構成例を説明するための機能ブロック図である。
【図７４】図２５の画像撮影モード操作処理を本発明の第５の実施形態に適応させた場合の処理例を説明するためのフローチャートである。
【図７５】図２０の画像再生モード操作手段を本発明の第６の実施形態に適応させた場合の構成例を説明するための機能ブロック図である。
【図７６】図７５中の画像再生手段を説明するための機能ブロック図である。
【図７７】図７５中のプリント部数指定手段を説明するための機能ブロック図である。
【図７８】図７５中のプリント指定ファイル生成手段を説明するための機能ブロック図である。
【図７９】図７８中のプリント指定データ生成手段を説明するための機能ブロック図である。
【図８０】図７５中のプリント指定ファイル解析手段１６４０を説明するための機能ブロック図である。
【図８１】図７５中の画像プリント手段を説明するための機能ブロック図である。
【図８２】図２６中の画像再生処理を本発明の第６の実施形態に適応させた場合の処理例を説明するためのフローチャートである。
【図８３】図２５、図２６、図２７、および図２８中のプリント部数指定処理を本発明の第６の実施形態に適応させた場合の処理例を説明するためのフローチャートである。
【図８４】図３５中のプリント指定データ生成処理を本発明の第６の実施形態に適応させた場合の処理例を説明するためのフローチャートである。
【図８５】図３６のプリント指定ファイル読込み処理を本発明の第６の実施形態に適応させた場合の処理例を説明するためのフローチャートである。
【図８６】図３７のプリント実行処理を本発明の第６の実施形態に適応させた場合の処理例を説明するためのフローチャートである。
【図８７】図３８のプリント実行処理を本発明の第６の実施形態に適応させた場合の処理例を説明するためのフローチャートである。
【図８８】図２０の画像再生モード操作手段を本発明の第７の実施形態に適応させた場合の構成例を説明するための機能ブロック図である。
【図８９】図８８中の画像再生手段を説明するための機能ブロック図である。
【図９０】図８８中のプリント指定ファイル生成手段を説明するための機能ブロック図である。
【図９１】図９０中のクリッピング領域取得手段を説明するための機能ブロック図である。
【図９２】図８８中のプリント指定ファイル解析手段を説明するための機能ブロック図である。
【図９３】図８８中の画像プリント手段を説明するための機能ブロック図である。
【図９４】図２６中の画像再生処理を本発明の第７の実施形態に適応させた場合の処理例を説明するためのフローチャートである。
【図９５】図３５のプリント指定ファイル書込み処理を本発明の第７の実施形態に適応させた場合の処理例を説明するためのフローチャートである。
【図９６】図３６のプリント指定ファイル読込み処理を本発明の第７の実施形態に適応させた場合の処理例を説明するためのフローチャートである。
【図９７】図３７のプリント実行処理を本発明の第７の実施形態に適応させた場合の処理例を説明するためのフローチャートである。
【図９８】図３８のプリント実行処理を本発明の第７の実施形態に適応させた場合の処理例を説明するためのフローチャートである。
【図９９】図２２の画像加工操作手段を本発明の第８の実施形態に適応させた場合の構成例を説明するための機能ブロック図である。
【図１００】図９９中の画像加工手段を説明するための機能ブロック図である。
【図１０１】図９９中のプリント指定ファイル生成手段を説明するための機能ブロック図である。
【図１０２】図１０１中の画像加工情報取得手段を説明するための機能ブロック図である。
【図１０３】図９９中のプリント指定ファイル解析手段を説明するための機能ブロック図である。
【図１０４】図９９中の画像プリント手段を説明するための機能ブロック図である。
【図１０５】図２８中の画像加工処理（ステップＳ９６）を本発明の第８の実施形態に適応させた場合の処理例を説明するためのフローチャートである。
【図１０６】図３５のプリント指定ファイル書込み処理を本発明の第８の実施形態に適応させた場合の処理例を説明するためのフローチャートである。
【図１０７】図３６のプリント指定ファイル読込み処理を本発明の第８の実施形態に適応させた場合の処理例を説明するためのフローチャートである。
【図１０８】図３７のプリント実行処理を本発明の第８の実施形態に適応させた場合の処理例を説明するためのフローチャートである。
【図１０９】図３８のプリント実行処理を本発明の第８の実施形態に適応させた場合の処理例を説明するためのフローチャートである。
【図１１０】図１８の撮影画像管理手段を本発明の第９の実施形態に適応させた場合の構成例を説明するための機能ブロック図である。
【図１１１】図１１０中の撮影動画読込み手段を説明するための機能ブロック図である。
【符号の説明】
Ａ００１  装置本体
Ａ００２  挿入部
Ａ１００  カメラ部
Ａ１０１  レンズ
Ａ１０２  ファインダー
Ａ１０２ａ  ファインダー窓
Ａ１０３  ストロボ
Ａ１０４  レリーズボタン
Ａ１０５  液晶表示部（外部表示部）
Ａ１０７  コンパクトフラッシュメモリカード（ＣＦカード）
Ａ１０８  電池
Ａ１０９  排出部
Ｂ１００  プリンタ部（記録装置部）
Ｂ１０１  ＬＦローラ
Ｂ１０２  ＬＦピンチローラ
Ｂ１０３  プラテン
Ｂ１０４  キャリッジ
Ｂ１０５  ガイド軸
Ｂ１０６  リードスクリュー
Ｂ１０７  軸受け
Ｂ１０８  軸受け
Ｂ１０９  スクリューピン
Ｂ１１０  ばね
Ｂ１２０  記録ヘッド
Ｂ１２１  インク吐出口
Ｂ１２２  ニードル
Ｂ１２３  供給エアー口
Ｂ１２４  ニードルカバー
Ｂ１３１  エンコーダセンサ
Ｂ１３２  リニアスケール
Ｂ１３３  ＨＰフラグ
Ｂ１３４  ＨＰセンサ
Ｂ１４１  スクリューギア
Ｂ１４２  アイドラギア
Ｂ１４３  モータギア
Ｂ１５０  フレキシブルケーブル
Ｂ２０１  排紙ローラ
Ｂ２０２  排紙ローラギア
Ｂ２０３  中継ギア
Ｂ２０４  ＬＦローラギア
Ｂ２１１  切り替えスライダ
Ｂ２１２  切り替えカム
Ｂ２１３  圧板ヘッド
Ｂ３０１  ジョイントフォーク
Ｂ３０２  供給ジョイント
Ｂ３０３  供給チューブ
Ｂ３０４  ポンプシリンダ
Ｂ３０５  ジョイントリフタ
Ｂ３１０  吸引キャップ
Ｂ３１１  吸引チューブ
Ｂ３１２  廃液チューブ
Ｂ３１３  廃液ジョイント
Ｂ３１５  ポンプユニット
Ｂ３１６  ワイパーリフタ
Ｂ３２１  ポンプＨＰセンサ
Ｂ３２２  ジョイントＨＰセンサ
Ｂ３２３  シャーシ
Ｃ１００  メディアパック
Ｃ１０１  パック本体
Ｃ１０２  シャッター
Ｃ１０２Ａ  窓部
Ｃ１０３  インクパック
Ｃ１０４  プリント媒体
Ｃ１０５  ジョイント
Ｃ１０６  ワイパー
Ｃ１０７  インク吸収体
Ｃ１１０  給紙ローラ
Ｃ１１０ａ  連結部
Ｍ００１  キャリッジモータ
Ｍ００２  搬送モータ
Ｍ００３  ジョイントモータ
Ｍ００４  ポンプモータ
１０１  ＣＣＤ
１０２  マイク
１０３  ＡＳＩＣ
１０４  第１メモリ
１０５  ＣＦカード（「ＣＦカードＡ１０７」に相当）
１０６  ＬＣＤ（「液晶表示部Ａ１０５」に相当）
１０７  レンズ
１２０  第１ＣＰＵ
２０１  画像処理部
２０２  第２メモリ
２０３  バンドメモリ制御部
２０４  バンドメモリ
２０５  マスクメモリ
２０６  ヘッド制御部
２０７  記録ヘッド（「記録ヘッドＢ１２０」に相当）
２０８  エンコーダ（「エンコーダセンサＢ１３１」に相当）
２０９  エンコーダカウンタ
２１０  インターフェース
２２０  第２ＣＰＵ
２２１  モータドライバ
２２２  モータ（「モータＭ００１，Ｍ００２，Ｍ００３，Ｍ００４」に相当）
２２３  センサ（「ＨＰセンサＢ１３４，Ｂ３２１，Ｂ３２２」を含む）
２２４  ＥＥＰＲＯＭ
２３０  音声エンコーダ部
２５０  電源部（「電池Ａ１０８」に相当）
１１００  操作モード切替手段
１１１０  設定モード操作手段
１１２０  画像撮影モード操作手段
１１３０  画像再生モード操作手段
１１４０  プリント指定操作手段
１１５０  画像加工操作手段
【図１】
0003937708.tif 000002
【図２】
0003937708.tif 000003
【図３】
0003937708.tif 000004
【図４】
0003937708.tif 000005
【図５】
0003937708.tif 000006
【図６】
0003937708.tif 000007
【図７】
0003937708.tif 000008
【図８】
0003937708.tif 000009
【図９】
0003937708.tif 000010
【図１０】
0003937708.tif 000011
【図１１】
0003937708.tif 000012
【図１２】
0003937708.tif 000013
【図１３】
0003937708.tif 000014
【図１４】
0003937708.tif 000015
【図１５】
0003937708.tif 000016
【図１６】
0003937708.tif 000017
【図１７】
0003937708.tif 000018
【図１８】
0003937708.tif 000019
【図１９】
0003937708.tif 000020
【図２０】
0003937708.tif 000021
【図２１】
0003937708.tif 000022
【図２２】
0003937708.tif 000023
【図２３】
0003937708.tif 000024
【図２４】
0003937708.tif 000025
【図２５】
0003937708.tif 000026
【図２６】
0003937708.tif 000027
【図２７】
0003937708.tif 000028
【図２８】
0003937708.tif 000029
【図２９】
0003937708.tif 000030
【図３０】
0003937708.tif 000031
【図３１】
0003937708.tif 000032
【図３２】
0003937708.tif 000033
【図３３】
0003937708.tif 000034
【図３４】
0003937708.tif 000035
【図３５】
0003937708.tif 000036
【図３６】
0003937708.tif 000037
【図３７】
0003937708.tif 000038
【図３８】
0003937708.tif 000039
【図３９】
0003937708.tif 000040
【図４０】
0003937708.tif 000041
【図４１】
0003937708.tif 000042
【図４２】
0003937708.tif 000043
【図４３】
0003937708.tif 000044
【図４４】
0003937708.tif 000045
【図４５】
0003937708.tif 000046
【図４６】
0003937708.tif 000047
【図４７】
0003937708.tif 000048
【図４８】
0003937708.tif 000049
【図４９】
0003937708.tif 000050
【図５０】
0003937708.tif 000051
【図５１】
0003937708.tif 000052
【図５２】
0003937708.tif 000053
【図５３】
0003937708.tif 000054
【図５４】
0003937708.tif 000055
【図５５】
0003937708.tif 000056
【図５６】
0003937708.tif 000057
【図５７】
0003937708.tif 000058
【図５８】
0003937708.tif 000059
【図５９】
0003937708.tif 000060
【図６０】
0003937708.tif 000061
【図６１】
0003937708.tif 000062
【図６２】
0003937708.tif 000063
【図６３】
0003937708.tif 000064
【図６４】
0003937708.tif 000065
【図６５】
0003937708.tif 000066
【図６６】
0003937708.tif 000067
【図６７】
0003937708.tif 000068
【図６８】
0003937708.tif 000069
【図６９】
0003937708.tif 000070
【図７０】
0003937708.tif 000071
【図７１】
0003937708.tif 000072
【図７２】
0003937708.tif 000073
【図７３】
0003937708.tif 000074
【図７４】
0003937708.tif 000075
【図７５】
0003937708.tif 000076
【図７６】
0003937708.tif 000077
【図７７】
0003937708.tif 000078
【図７８】
0003937708.tif 000079
【図７９】
0003937708.tif 000080
【図８０】
0003937708.tif 000081
【図８１】
0003937708.tif 000082
【図８２】
0003937708.tif 000083
【図８３】
0003937708.tif 000084
【図８４】
0003937708.tif 000085
【図８５】
0003937708.tif 000086
【図８６】
0003937708.tif 000087
【図８７】
0003937708.tif 000088
【図８８】
0003937708.tif 000089
【図８９】
0003937708.tif 000090
【図９０】
0003937708.tif 000091
【図９１】
0003937708.tif 000092
【図９２】
0003937708.tif 000093
【図９３】
0003937708.tif 000094
【図９４】
0003937708.tif 000095
【図９５】
0003937708.tif 000096
【図９６】
0003937708.tif 000097
【図９７】
0003937708.tif 000098
【図９８】
0003937708.tif 000099
【図９９】
0003937708.tif 000100
【図１００】
0003937708.tif 000101
【図１０１】
0003937708.tif 000102
【図１０２】
0003937708.tif 000103
【図１０３】
0003937708.tif 000104
【図１０４】
0003937708.tif 000105
【図１０５】
0003937708.tif 000106
【図１０６】
0003937708.tif 000107
【図１０７】
0003937708.tif 000108
【図１０８】
0003937708.tif 000109
【図１０９】
0003937708.tif 000110
【図１１０】
0003937708.tif 000111
【図１１１】
0003937708.tif 000112